(57)【特許請求の範囲】
【請求項１】
ワイヤレス通信のための方法であって、
ワイヤレス通信デバイスによって、前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記ワイヤレス通信デバイスによって、前記第１のＳＣＣまたは前記第２のＳＣＣのうちの少なくとも１つを監視することと、
前記ワイヤレス通信デバイスによって、前記第１のＳＣＣに関連する信号品質が、しきい値を満たさないことを検出することと、
前記ワイヤレス通信デバイスによって、前記第１のＳＣＣに関連する前記信号品質が前記しきい値を満たさないことを検出することに少なくとも部分的に基づいて、前記第２の２次セルを非アクティブ化することと、
前記第２のＳＣＣに関連するチャネル状態情報を決定するために、前記第２の２次セルをアクティブ化することと、
を備える、方法。
【請求項２】
前記第２のＳＣＣに関連するチャネル状態情報を決定するために、前記第２の２次セルを周期的にアクティブ化することと、
前記チャネル状態情報を報告することと
をさらに備える、請求項１に記載の方法。
【請求項３】
前記ワイヤレス通信デバイスによって、前記第２の２次セルを前記非アクティブ化することが、
第１の時間期間中に前記第２の２次セルを非アクティブ化すること、
をさらに備え、
前記方法が、
前記第１の時間期間の後に起こる第２の時間期間中に前記第２の２次セルをアクティブ化することと、
前記第２の時間期間中に前記第２の２次セルをアクティブ化することに少なくとも部分的に基づいて、前記第２のＳＣＣに関連するチャネル状態情報を決定することと、
前記第２のＳＣＣに関連する前記チャネル状態情報を報告することと
をさらに備える、請求項１に記載の方法。
【請求項４】
前記第２の時間期間の後に起こる第３の時間期間中に前記第２の２次セルを非アクティブ化することと、
前記第２の時間期間の後に起こる第４の時間期間中に前記第２の２次セルをアクティブ化することなしに、前記第４の時間期間の間、前記チャネル状態情報を報告することとをさらに備え、
ここにおいて、前記第２の時間期間および前記第４の時間期間が連続する報告期間である、
請求項３に記載の方法。
【請求項５】
前記第１のＳＣＣを監視することに少なくとも部分的に基づいて、前記第１の２次セルが構成解除または非アクティブ化されたと決定することと、
前記第１の２次セルが構成解除または非アクティブ化されたと決定することに少なくとも部分的に基づいて、前記第１の２次セルを非アクティブ化することと、
をさらに備える、請求項１に記載の方法。
【請求項６】
ワイヤレス通信のための方法であって、
ワイヤレス通信デバイスによって、前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記ワイヤレス通信デバイスによって、前記第１のＳＣＣまたは前記第２のＳＣＣのうちの少なくとも１つを監視することと、
前記ワイヤレス通信デバイスが前記第１のＳＣＣから離調したことを検出することと、
前記ワイヤレス通信デバイスが前記第１のＳＣＣから離調したことを検出することに少なくとも部分的に基づいて、前記第２の２次セルを非アクティブ化することと、
前記第２のＳＣＣに関連するチャネル状態情報を決定するために、前記第２の２次セルをアクティブ化することと、
を備える、方法。
【請求項７】
前記ワイヤレス通信デバイスが前記第１のＳＣＣから離調される離調時間期間が、しきい値を満たすと決定することと、
前記離調時間期間が前記しきい値を満たすと決定することに少なくとも部分的に基づいて、前記第２の２次セルをアクティブ化することと、
前記第２の２次セルをアクティブ化することに少なくとも部分的に基づいて、前記第２のＳＣＣに関連する前記チャネル状態情報を決定することと、
前記チャネル状態情報を報告することと
をさらに備える、請求項６に記載の方法。
【請求項８】
ワイヤレス通信のための方法であって、
ワイヤレス通信デバイスによって、前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記ワイヤレス通信デバイスによって、前記第１のＳＣＣまたは前記第２のＳＣＣのうちの少なくとも１つを監視することと、
前記第２のＳＣＣに関連する信号品質が、しきい値を満たさないことを検出することと、
前記第２のＳＣＣに関連する前記信号品質が前記しきい値を満たさないことを検出することに少なくとも部分的に基づいて、前記第２の２次セル以外の他のセルに関連するダウンリンク基準時間を決定することと、
前記ダウンリンク基準時間に少なくとも部分的に基づいて、前記第２の２次セルのアップリンクチャネルのためのタイミングアドバンスを決定することと、
前記タイミングアドバンスに少なくとも部分的に基づいて、前記第２の２次セルの前記アップリンクチャネルを介して通信を送信することと、
前記ワイヤレス通信デバイスによって、前記第２のＳＣＣに関連する前記信号品質が前記しきい値を満たさないことを検出することに少なくとも部分的に基づいて、前記第２の２次セルを非アクティブ化することと、
前記第２のＳＣＣに関連するチャネル状態情報を決定するために、前記第２の２次セルをアクティブ化することと、
を備える、方法。
【請求項９】
前記第２のＳＣＣに関連する前記信号品質が前記しきい値を満たさないことを検出することが、前記第２の２次セルのダウンリンクチャネルに関連する無線リンク障害を検出することを含み、
ここにおいて、前記ダウンリンク基準時間を決定することが、前記無線リンク障害を検出することに少なくとも部分的に基づいて、前記ダウンリンク基準時間を決定することを含む、
請求項８に記載の方法。
【請求項１０】
前記他のセルが、前記第２の２次セルと同じタイミングアドバンスグループ中にある、請求項８に記載の方法。
【請求項１１】
ワイヤレス通信のための方法であって、
ワイヤレス通信デバイスによって、前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記ワイヤレス通信デバイスによって、前記第１のＳＣＣまたは前記第２のＳＣＣのうちの少なくとも１つを監視することと、
前記ワイヤレス通信デバイスが前記第２のＳＣＣに関連するダウンリンクチャネルから離調したことを検出することと、
前記ワイヤレス通信デバイスが前記ダウンリンクチャネルから離調したことを検出することに少なくとも部分的に基づいて、前記第２の２次セル以外の他のセルに関連するダウンリンク基準時間を決定することと、
前記ダウンリンク基準時間に少なくとも部分的に基づいて、前記第２の２次セルのアップリンクチャネルのためのタイミングアドバンスを決定することと、
前記タイミングアドバンスに少なくとも部分的に基づいて、前記第２の２次セルの前記アップリンクチャネルを介して通信を送信することと、
前記ワイヤレス通信デバイスによって、前記ワイヤレス通信デバイスが前記第２のＳＣＣに関連するダウンリンクチャネルから離調したことを検出することに少なくとも部分的に基づいて、前記第２の２次セルを非アクティブ化することと、
前記第２のＳＣＣに関連するチャネル状態情報を決定するために、前記第２の２次セルをアクティブ化することと、
を備える、方法。
【請求項１２】
ワイヤレス通信のためのワイヤレス通信デバイスであって、
１つまたは複数のプロセッサ
を備え、前記１つまたは複数のプロセッサは、
前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記第１のＳＣＣまたは前記第２のＳＣＣのうちの少なくとも１つを監視することと、
前記第１のＳＣＣに関連する信号品質が、しきい値を満たさないことを検出することと、
前記第１のＳＣＣに関連する前記信号品質が前記しきい値を満たさないことを検出することに少なくとも部分的に基づいて、前記第２の２次セルを非アクティブ化することと、
前記第２のＳＣＣに関連するチャネル状態情報を決定するために、前記第２の２次セルをアクティブ化することと、
を行うように構成される、ワイヤレス通信デバイス。
【請求項１３】
前記１つまたは複数のプロセッサが、
前記第１のＳＣＣを監視することに少なくとも部分的に基づいて、前記第１の２次セルが構成解除または非アクティブ化されたと決定することと、
前記第１の２次セルが構成解除または非アクティブ化されたと決定することに少なくとも部分的に基づいて、前記第２の２次セルを非アクティブ化することと、
を行うようにさらに構成された、請求項１２に記載のワイヤレス通信デバイス。
【請求項１４】
前記１つまたは複数のプロセッサが、
前記第２の２次セルを非アクティブ化した後に、前記第２の２次セルをアクティブ化することと、
前記第２の２次セルをアクティブ化することに少なくとも部分的に基づいて、前記第２のＳＣＣに関連する前記チャネル状態情報を決定することと、
前記チャネル状態情報を報告することと
を行うようにさらに構成された、請求項１２に記載のワイヤレス通信デバイス。
【請求項１５】
ワイヤレス通信のためのワイヤレス通信デバイスであって、
前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記第１のＳＣＣまたは前記第２のＳＣＣのうちの少なくとも１つを監視することと、
前記ワイヤレス通信デバイスが前記第１のＳＣＣから離調したことを検出することと、
前記ワイヤレス通信デバイスが前記第１のＳＣＣから離調したことを検出することに少なくとも部分的に基づいて、前記第２の２次セルを非アクティブ化することと、
前記第２のＳＣＣに関連するチャネル状態情報を決定するために、前記第２の２次セルをアクティブ化することと、
を行うように構成された、１つまたは複数のプロセッサ
を備える、ワイヤレス通信デバイス。
【請求項１６】
前記１つまたは複数のプロセッサが、
前記第２の２次セル以外の他のセルに関連するダウンリンク基準時間を決定することと、
前記ダウンリンク基準時間に少なくとも部分的に基づいて、前記第２の２次セルのアップリンクチャネルのためのタイミングアドバンスを決定することと、
前記タイミングアドバンスに少なくとも部分的に基づいて、前記第２の２次セルの前記アップリンクチャネルを介して通信を送信することと
を行うようにさらに構成された、請求項１５に記載のワイヤレス通信デバイス。
【請求項１７】
ワイヤレス通信のための命令を記憶する非一時的コンピュータ可読媒体であって、前記命令は、
ワイヤレス通信デバイスの１つまたは複数のプロセッサによって実行されたとき、前記ワイヤレス通信デバイスに、
前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記第１のＳＣＣまたは前記第２のＳＣＣのうちの少なくとも１つを監視することと、
前記第１のＳＣＣに関連する信号品質が、しきい値を満たさないことを検出することと、
前記第１のＳＣＣに関連する前記信号品質が前記しきい値を満たさないことを検出することに少なくとも部分的に基づいて、前記第２の２次セルを非アクティブ化することと、
前記第２のＳＣＣに関連するチャネル状態情報を決定するために、前記第２の２次セルをアクティブ化することと、
を行わせる、非一時的コンピュータ可読媒体。
【請求項１８】
前記１つまたは複数の命令は、前記ワイヤレス通信デバイスに、
前記第１のＳＣＣを監視することに少なくとも部分的に基づいて、前記第１の２次セルが構成解除されたと決定することと、
前記第１の２次セルが構成解除されたと決定することに少なくとも部分的に基づいて、前記第１の２次セルを非アクティブ化することと、
をさらに行わせる、請求項１７に記載の非一時的コンピュータ可読媒体。
【請求項１９】
前記１つまたは複数の命令が、前記ワイヤレス通信デバイスに、
前記第２の２次セルを非アクティブ化した後に、前記第２の２次セルをアクティブ化することと、
前記第２の２次セルをアクティブ化することに少なくとも部分的に基づいて、前記第２のＳＣＣに関連する前記チャネル状態情報を決定することと、
前記チャネル状態情報を報告することと
をさらに行わせる、請求項１７に記載の非一時的コンピュータ可読媒体。
【請求項２０】
ワイヤレス通信のための命令を記憶する非一時的コンピュータ可読媒体であって、前記命令は、ワイヤレス通信デバイスの１つまたは複数のプロセッサによって実行されたとき、前記ワイヤレス通信デバイスに、
前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記第１のＳＣＣまたは前記第２のＳＣＣのうちの少なくとも１つを監視することと、
前記ワイヤレス通信デバイスが前記第１のＳＣＣから離調したことを検出することと、
前記ワイヤレス通信デバイスが前記第１のＳＣＣから離調したことを検出することに少なくとも部分的に基づいて、前記第２の２次セルを非アクティブ化することと、
前記第２のＳＣＣに関連するチャネル状態情報を決定するために、前記第２の２次セルをアクティブ化することと、
を行わせる、非一時的コンピュータ可読媒体。
【請求項２１】
前記１つまたは複数の命令が、前記ワイヤレス通信デバイスに、
前記１次セルまたは前記第１の２次セルのうちの少なくとも１つに関連するダウンリンク基準時間を決定することと、
前記ダウンリンク基準時間に少なくとも部分的に基づいて、前記第２の２次セルのアップリンクチャネルのためのタイミングアドバンスを決定することと、
前記タイミングアドバンスに少なくとも部分的に基づいて、前記第２の２次セルの前記アップリンクチャネルを介して通信を送信することと
をさらに行わせる、請求項２０に記載の非一時的コンピュータ可読媒体。
【請求項２２】
ワイヤレス通信のための装置であって、
前記装置が、キャリアアグリゲーションのために、１次コンポーネントキャリア（ＰＣＣ）と、第１の２次コンポーネントキャリア（ＳＣＣ）と、第２のＳＣＣとを使用するように構成されると決定するための手段と、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記第１のＳＣＣまたは前記第２のＳＣＣのうちの少なくとも１つを監視するための手段と、
前記第１のＳＣＣに関連する信号品質が、しきい値を満たさないことを検出するための手段と、
前記第１のＳＣＣに関連する前記信号品質が前記しきい値を満たさないことを検出することに少なくとも部分的に基づいて、前記第２の２次セルを非アクティブ化するための手段と、
前記第２のＳＣＣに関連するチャネル状態情報を決定するために、前記第２の２次セルをアクティブ化するための手段と、
を備える、装置。
【請求項２３】
前記第１のＳＣＣを監視することに少なくとも部分的に基づいて、前記第１の２次セルが構成解除されたと決定するための手段と、
前記第１の２次セルが構成解除されたと決定することに少なくとも部分的に基づいて、前記第１の２次セルを非アクティブ化するための手段と、
をさらに備える、請求項２２に記載の装置。
【請求項２４】
アクションを実施するための前記手段が、
前記第２の２次セルを非アクティブ化した後に、前記第２の２次セルをアクティブ化するための手段と、
前記第２の２次セルをアクティブ化することに少なくとも部分的に基づいて、前記第２のＳＣＣに関連する前記チャネル状態情報を決定するための手段と、
前記チャネル状態情報を報告するための手段と
を備える、請求項２２に記載の装置。
【請求項２５】
ワイヤレス通信のための装置であって、
前記装置が、キャリアアグリゲーションのために、１次コンポーネントキャリア（ＰＣＣ）と、第１の２次コンポーネントキャリア（ＳＣＣ）と、第２のＳＣＣとを使用するように構成されると決定するための手段と、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記第１のＳＣＣまたは前記第２のＳＣＣのうちの少なくとも１つを監視するための手段と、
前記装置が前記第１のＳＣＣから離調したことを検出するための手段と、
前記装置が前記第１のＳＣＣから離調したことを検出することに少なくとも部分的に基づいて、前記第２の２次セルを非アクティブ化するための手段と、
前記第２のＳＣＣに関連するチャネル状態情報を決定するために、前記第２の２次セルをアクティブ化するための手段と、
を備える、装置。
【発明の詳細な説明】
【技術分野】
【０００１】
米国特許法第１１９条下での関連出願の相互参照
[0001]本出願は、その全体がともに参照により本明細書によって明確に組み込まれる、２０１５年７月３１日に出願されたインド仮特許出願第２８９４／ＭＵＭ／２０１５号、および２０１５年１０月２８日に出願された米国特許出願第１４／９２５，７００号の優先権を主張する。
【０００２】
[0002]本開示の態様は、一般にワイヤレス通信に関し、より詳細には、キャリアアグリゲーションおよびクロスキャリアスケジューリング中の仮想無線リンク監視のための技法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを使用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格と統合することによって、モバイルブロードバンドインターネットアクセスをより良くサポートするように設計されている。
【発明の概要】
【０００５】
[0005]いくつかの態様では、ワイヤレス通信のための方法は、ワイヤレス通信デバイスによって、ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することを含み得、ここにおいて、１次セルがＰＣＣに関連し、第１の２次セルが第１のＳＣＣに関連し、第２の２次セルが第２のＳＣＣに関連し、第１の２次セルが、第２の２次セルのための制御情報（たとえば、スケジューリング情報）を与える。本方法は、ワイヤレス通信デバイスによって、（たとえば、第１のＳＣＣまたは第２のＳＣＣに関連する信号品質、あるいは第１のＳＣＣまたは第２のＳＣＣに関連する離調（tune-away）のうちの少なくとも１つについて）第１のＳＣＣまたは第２のＳＣＣのうちの少なくとも１つを監視することを含み得る。本方法は、ワイヤレス通信デバイスによって、第１のＳＣＣまたは第２のＳＣＣのうちの少なくとも１つを監視することに少なくとも部分的に基づいて、第２の２次セルに関連するアクションを実施する（perform）ことを含み得る。
【０００６】
[0006]いくつかの態様では、ワイヤレス通信のためのワイヤレス通信デバイスは、ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定するように構成された１つまたは複数のプロセッサを含み得、ここにおいて、１次セルがＰＣＣに関連し、第１の２次セルが第１のＳＣＣに関連し、第２の２次セルが第２のＳＣＣに関連し、第１の２次セルが、第２の２次セルのための制御情報（たとえば、スケジューリング情報）を与える。１つまたは複数のプロセッサは、（たとえば、第１のＳＣＣまたは第２のＳＣＣに関連する信号品質、あるいは第１のＳＣＣまたは第２のＳＣＣに関連する離調のうちの少なくとも１つについて）第１のＳＣＣまたは第２のＳＣＣのうちの少なくとも１つを監視するように構成され得る。１つまたは複数のプロセッサは、第１のＳＣＣまたは第２のＳＣＣのうちの少なくとも１つを監視することに少なくとも部分的に基づいて、第２の２次セルに関連するアクションを実施するように構成され得る。
【０００７】
[0007]いくつかの態様では、非一時的コンピュータ可読媒体は、ワイヤレス通信のための命令を記憶し得る。命令は、ワイヤレス通信デバイスの１つまたは複数のプロセッサによって実行されたとき、１つまたは複数のプロセッサに、ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定させる１つまたは複数の命令を含み得、ここにおいて、１次セルがＰＣＣに関連し、第１の２次セルが第１のＳＣＣに関連し、第２の２次セルが第２のＳＣＣに関連し、第１の２次セルが、第２の２次セルのための制御情報（たとえば、スケジューリング情報）を与える。１つまたは複数の命令は、１つまたは複数のプロセッサに、（たとえば、第１のＳＣＣまたは第２のＳＣＣに関連する信号品質、あるいは第１のＳＣＣまたは第２のＳＣＣに関連する離調のうちの少なくとも１つについて）第１のＳＣＣまたは第２のＳＣＣのうちの少なくとも１つを監視させ得る。１つまたは複数の命令は、１つまたは複数のプロセッサに、第１のＳＣＣまたは第２のＳＣＣのうちの少なくとも１つを監視することに少なくとも部分的に基づいて、第２の２次セルに関連するアクションを実施させ得る。
【０００８】
[0008]いくつかの態様では、ワイヤレス通信のための装置は、装置が、キャリアアグリゲーションのために、１次コンポーネントキャリア（ＰＣＣ）と、第１の２次コンポーネントキャリア（ＳＣＣ）と、第２のＳＣＣとを使用するように構成されると決定するための手段を含み得、ここにおいて、１次セルがＰＣＣに関連し、第１の２次セルが第１のＳＣＣに関連し、第２の２次セルが第２のＳＣＣに関連し、第１の２次セルが、第２の２次セルのための制御情報（たとえば、スケジューリング情報）を与える。本装置は、（たとえば、第１のＳＣＣまたは第２のＳＣＣに関連する信号品質、あるいは第１のＳＣＣまたは第２のＳＣＣに関連する離調のうちの少なくとも１つについて）第１のＳＣＣまたは第２のＳＣＣのうちの少なくとも１つを監視するための手段を含み得る。本装置は、第１のＳＣＣまたは第２のＳＣＣのうちの少なくとも１つを監視することに少なくとも部分的に基づいて、第２の２次セルに関連するアクションを実施するための手段を含み得る。
【０００９】
[0009]態様は、概して、添付の図面に関して本明細書で実質的に説明され、添付の図面によって示されるように、方法、装置、システム、コンピュータプログラム製品、および処理システムを含む。
【００１０】
[0010]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性は、それらの編成と動作の方法の両方とも、関連する利点とともに、添付の図に関連して以下の説明を検討するとより良く理解されよう。図の各々は、例示および説明の目的で与えられるものであり、特許請求の範囲の制限の定義として与えられるものではない。
【００１１】
[0011]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。異なる図面中の同じ参照番号は、同じまたは同様の要素を識別し得る。
【図面の簡単な説明】
【００１２】
【図１】[0012]本開示の様々な態様による、複数のワイヤレスネットワークが重複カバレージを有する、例示的な展開を示す図。
【図２】[0013]本開示の様々な態様による、ＬＴＥネットワークアーキテクチャにおける例示的なアクセスネットワークを示す図。
【図３】[0014]本開示の様々な態様による、ＬＴＥにおけるダウンリンクフレーム構造の一例を示す図。
【図４】[0015]本開示の様々な態様による、ＬＴＥにおけるアップリンクフレーム構造の一例を示す図。
【図５】[0016]本開示の様々な態様による、ＬＴＥにおけるユーザプレーンおよび制御プレーンのための無線プロトコルアーキテクチャの一例を示す図。
【図６】[0017]本開示の様々な態様による、アクセスネットワーク中の発展型ノードＢおよびユーザ機器の例示的な構成要素を示す図。
【図７Ａ】[0018]本開示の様々な態様による、例示的なキャリアアグリゲーションタイプを示す図。
【図７Ｂ】本開示の様々な態様による、例示的なキャリアアグリゲーションタイプを示す図。
【図８Ａ】[0019]本開示の様々な態様による、キャリアアグリゲーションおよびクロスキャリアスケジューリング中の仮想無線リンク監視の一例を示す図。
【図８Ｂ】本開示の様々な態様による、キャリアアグリゲーションおよびクロスキャリアスケジューリング中の仮想無線リンク監視の一例を示す図。
【図８Ｃ】本開示の様々な態様による、キャリアアグリゲーションおよびクロスキャリアスケジューリング中の仮想無線リンク監視の一例を示す図。
【図９】[0020]本開示の様々な態様による、チャネル状態情報を決定するためのスレーブ２次セル（slave secondary cell）を周期的にアクティブ化する一例を示す図。
【図１０】[0021]本開示の様々な態様による、スレーブ２次セルのアップリンクチャネルのためのタイミングアドバンスを決定するためのタイミングアドバンスグループに関連するダウンリンク基準時間を使用する一例を示す図。
【図１１】[0022]本開示の様々な態様による、たとえば、ワイヤレス通信デバイスによって実施される例示的なプロセスを示す図。
【図１２】[0023]本開示の様々な態様による、たとえば、ワイヤレス通信デバイスによって実施される別の例示的なプロセスを示す図。
【図１３】[0024]本開示の様々な態様による、たとえば、ワイヤレス通信デバイスによって実施される別の例示的なプロセスを示す図。
【発明を実施するための形態】
【００１３】
[0025]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。
【００１４】
[0026]本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、または他のタイプのネットワークなど、様々なワイヤレス通信ネットワークのうちの１つまたは複数のために使用され得る。ＣＤＭＡネットワークは、ユニバーサル地上波無線アクセス（ＵＴＲＡ：universal terrestrial radio access）、ＣＤＭＡ２０００などの無線アクセス技術（ＲＡＴ）を実装し得る。ＵＴＲＡは、広帯域ＣＤＭＡ（ＷＣＤＭＡ（登録商標））および／またはＣＤＭＡの他の変形態を含み得る。ＣＤＭＡ２０００は、暫定基準（ＩＳ）−２０００、ＩＳ−９５およびＩＳ−８５６規格を含み得る。ＩＳ−２０００は、１ｘ無線送信技術（１ｘＲＴＴ）、ＣＤＭＡ２０００  １Ｘなどと呼ばれることもある。ＴＤＭＡネットワークは、モバイル通信用グローバルシステム（ＧＳＭ（登録商標）：global system for mobile communications）、ＧＳＭ進化型高速データレート（ＥＤＧＥ：enhanced data rates for GSM evolution）、またはＧＳＭ／ＥＤＧＥ無線アクセスネットワーク（ＧＥＲＡＮ：GSM/EDGE radio access network）などのＲＡＴを実装し得る。ＯＦＤＭＡネットワークは、発展型ＵＴＲＡ（Ｅ−ＵＴＲＡ）、ウルトラモバイルブロードバンド（ＵＭＢ：Ultra Mobile Broadband）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどのＲＡＴを実装し得る。ＵＴＲＡおよびＥ−ＵＴＲＡは、ユニバーサルモバイルテレコミュニケーションシステム（ＵＭＴＳ：universal mobile telecommunication system）の一部であり得る。３ＧＰＰロングタームエボリューション（ＬＴＥ）およびＬＴＥアドバンスト（ＬＴＥ−Ａ：LTE-Advanced）は、ダウンリンク上ではＯＦＤＭＡを採用し、アップリンク上ではＳＣ−ＦＤＭＡを採用する、Ｅ−ＵＴＲＡを使用するＵＭＴＳの例示的なリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよびＲＡＴ、ならびに他のワイヤレスネットワークおよびＲＡＴのために使用され得る。
【００１５】
[0027]図１は、本開示の様々な態様による、複数のワイヤレスネットワークが重複カバレージを有する、例示的な展開１００を示す図である。図示のように、例示的な展開１００は、１つまたは複数の発展型ノードＢ（ｅＮＢ）１１０を含み得、サービングゲートウェイ（ＳＧＷ）１１５および／またはモビリティ管理エンティティ（ＭＭＥ）１２０を介して他のデバイスまたはネットワークと通信し得る、発展型ユニバーサル地上波無線アクセスネットワーク（Ｅ−ＵＴＲＡＮ）１０５を含み得る。さらに示されているように、例示的な展開１００は、１つまたは複数の基地局１３０を含み得、モバイルスイッチングセンター（ＭＳＣ）１３５および／または相互作用機能（ＩＷＦ）１４０を介して他のデバイスまたはネットワークと通信し得る、無線アクセスネットワーク（ＲＡＮ）１２５を含み得る。さらに示されているように、例示的な展開１００は、Ｅ−ＵＴＲＡＮ１０５および／またはＲＡＮ１２５を介して通信することが可能な１つまたは複数のユーザ機器（ＵＥ）１４５を含み得る。
【００１６】
[0028]Ｅ−ＵＴＲＡＮ１０５は、たとえば、ＬＴＥまたは別のタイプのＲＡＴをサポートし得る。Ｅ−ＵＴＲＡＮ１０５は、ＵＥ１４５のためのワイヤレス通信をサポートすることができる、ｅＮＢ１１０と他のネットワークエンティティとを含み得る。各ｅＮＢ１１０は、特定の地理的エリアに通信カバレージを与え得る。「セル」という用語は、ｅＮＢ１１０のカバレージエリアおよび／またはカバレージエリアをサービスするｅＮＢサブシステムを指すことがある（may）。
【００１７】
[0029]ＳＧＷ１１５は、Ｅ−ＵＴＲＡＮ１０５と通信し得、パケットルーティングおよびフォワーディング、モビリティアンカリング、パケットバッファリング、ネットワークトリガ型サービスの開始などの様々な機能を実施し得る。ＭＭＥ１２０は、Ｅ−ＵＴＲＡＮ１０５およびＳＧＷ１１５と通信し得、Ｅ−ＵＴＲＡＮ１０５のＭＭＥ１２０によってサービスされる地理的領域内に位置するＵＥ１４５のために、モビリティ管理、ベアラ管理、ページングメッセージの配信（distribution）、セキュリティ制御、認証、ゲートウェイ選択などの様々な機能を実施し得る。ＬＴＥにおけるネットワークエンティティは、公開されている「Evolved Universal Terrestrial Radio Access (E-UTRA) and Evolved Universal Terrestrial Radio Access Network (E-UTRAN); Overall description」と題する３ＧＰＰ  ＴＳ３６．３００に記載されている。
【００１８】
[0030]ＲＡＮ１２５は、たとえば、ＧＳＭまたは別のタイプのＲＡＴをサポートし得る。ＲＡＮ１２５は、ＵＥ１４５のためのワイヤレス通信をサポートすることができる、基地局１３０と他のネットワークエンティティとを含み得る。ＭＳＣ１３５は、ＲＡＮ１２５と通信し得、ＲＡＮ１２５のＭＳＣ１３５によってサービスされる地理的領域内に位置するＵＥ１４５のために、音声サービス、回線交換呼のためのルーティング、およびモビリティ管理などの様々な機能を実施し得る。いくつかの態様では、ＩＷＦ１４０は、（たとえば、Ｅ−ＵＴＲＡＮ１０５およびＲＡＮ１２５が異なるＲＡＴを使用するとき）ＭＭＥ１２０とＭＳＣ１３５との間の通信を可能にし（facilitate）得る。追加または代替として、ＭＭＥ１２０は、（たとえば、Ｅ−ＵＴＲＡＮ１０５およびＲＡＮ１２５が同じＲＡＴを使用するとき）たとえば、ＩＷＦ１４０なしに、ＲＡＮ１２５とインターフェースするＭＭＥと直接通信し得る。いくつかの態様では、Ｅ−ＵＴＲＡＮ１０５およびＲＡＮ１２５は、ＵＥ１４５と通信するために、同じ周波数および／または同じＲＡＴを使用し得る。いくつかの態様では、Ｅ−ＵＴＲＡＮ１０５およびＲＡＮ１２５は、ＵＥ１４５と通信するために、異なる周波数および／またはＲＡＴを使用し得る。
【００１９】
[0031]概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数または周波数範囲は、キャリア、周波数チャネルなど（and/or the like）と呼ばれることもある。各周波数または周波数範囲は、異なるＲＡＴのワイヤレスネットワーク間での干渉を回避するために、所与の地理的エリア中の単一のＲＡＴをサポートし得る。
【００２０】
[0032]ＵＥ１４５は、固定または移動であり得、移動局、端末、アクセス端末、ワイヤレス通信デバイス、加入者ユニット、局などと呼ばれることもある。ＵＥ１４５は、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などであり得る。
【００２１】
[0033]電源投入時に、ＵＥ１４５は、ＵＥ１４５が通信サービスを受信することができるワイヤレスネットワークを探索し得る。ＵＥ１４５が、２つ以上のワイヤレスネットワークを検出した場合、ＵＥ１４５をサービスするために、最高優先度をもつワイヤレスネットワークが選択され得、サービングネットワークと呼ばれることがある。ＵＥ１４５は、必要な場合、サービングネットワークへの登録を実施し得る。ＵＥ１４５は、次いで、サービングネットワークとアクティブに通信するために接続モードで動作し得る。代替的に、ＵＥ１４５は、アクティブ通信がＵＥ１４５によって必要とされない場合、アイドルモードで動作し、サービングネットワークにキャンプオンし得る。
【００２２】
[0034]ＵＥ１４５は、以下のようにアイドルモードで動作し得る。ＵＥ１４５は、それが、標準シナリオにおいて「好適な」セルを見つけることが可能であるか、または緊急シナリオにおいて「許容できる」セルを見つけることが可能である、すべての周波数／ＲＡＴを識別し得、ただし、「好適な」および「許容できる」は、ＬＴＥ規格において指定されている。ＵＥ１４５は、次いで、すべての識別された周波数／ＲＡＴの中で最高優先度をもつ周波数／ＲＡＴにキャンプオンし得る。ＵＥ１４５は、（ｉ）周波数／ＲＡＴが所定のしきい値においてもはや利用可能でないか、または（ｉｉ）より高い優先度をもつ別の周波数／ＲＡＴがこのしきい値に達するかのいずれかまで、この周波数／ＲＡＴにキャンプオンしたままであり得る。いくつかの態様では、ＵＥ１４５は、アイドルモードで動作するとき、ＵＥ１４５がキャンプオンされる（on which UE 145 is camped）ＲＡＴのｅＮＢによって与えられるシステム情報ブロックタイプ５（ＳＩＢ５）中に含まれるネイバーリストなど、ネイバーリストを受信し得る。追加または代替として、ＵＥ１４５は、ネイバーリストを生成し得る。ネイバーリストは、１つまたは複数のＲＡＴがアクセスされ得る１つまたは複数の周波数、１つまたは複数のＲＡＴに関連する優先度情報などを識別する情報を含み得る。
【００２３】
[0035]図１に示されているデバイスおよびネットワークの数および配置は、一例として与えられている。実際には、図１に示されているものと比べて、追加のデバイスおよび／またはネットワーク、より少数のデバイスおよび／またはネットワーク、異なるデバイスおよび／またはネットワーク、あるいは別様に構成されたデバイスおよび／またはネットワークがあり得る。さらに、図１に示されている２つまたはそれ以上のデバイスは単一のデバイス内で実装され得、または図１に示されている単一のデバイスは複数の分散されたデバイスとして実装され得る。追加または代替として、図１に示されているデバイスのセット（たとえば、１つまたは複数のデバイス）が、図１に示されているデバイスの別のセットによって実施されるものとして説明される１つまたは複数の機能を実施し得る。
【００２４】
[0036]図２は、本開示の様々な態様による、ＬＴＥネットワークアーキテクチャにおける例示的なアクセスネットワーク２００を示す図である。図示のように、アクセスネットワーク２００は、セルラー領域（セル）２２０の対応するセットをサービスする１つまたは複数のｅＮＢ２１０と、セルの対応するセット２４０をサービスする１つまたは複数の低電力ｅＮＢ２３０と、ＵＥ２５０のセットとを含み得る。
【００２５】
[0037]各ｅＮＢ２１０は、それぞれのセル２２０に割り当てられ得、ＲＡＮへのアクセスポイントを与えるように構成され得る。たとえば、ｅＮＢ１１０、２１０は、Ｅ−ＵＴＲＡＮ１０５へのＵＥ１４５、２５０のためのアクセスポイントを与え得（たとえば、ｅＮＢ２１０は、図１に示されているｅＮＢ１１０に対応し得る）、またはＲＡＮ１２５へのＵＥ１４５、２５０のためのアクセスポイントを与え得る（たとえば、ｅＮＢ２１０は、図１に示されている基地局１３０に対応し得る）。ＵＥ１４５、２５０は、図１に示されているＵＥ１４５に対応し得る。図２は例示的なアクセスネットワーク２００のための集中型コントローラを示さないが、アクセスネットワーク２００は、いくつかの態様において、集中型コントローラを使用し得る。ｅＮＢ２１０は、無線ベアラ制御、承認制御（admission control）、モビリティ制御、スケジューリング、セキュリティ、および（たとえば、ＳＧＷ１１５への）ネットワーク接続性を含む、無線関係機能（radio related functions）を実施し得る。
【００２６】
[0038]図２に示されているように、ｅＮＢ２１０によってサービスされる１つまたは複数のセル２２０と重複し得、１つまたは複数の低電力ｅＮＢ２３０がそれぞれのセル２４０をサービスし得る。ｅＮＢ２３０は、図１に示されている、Ｅ−ＵＴＲＡＮ１０５に関連するｅＮＢ１１０および／またはＲＡＮ１２５に関連する基地局１３０に対応し得る。低電力ｅＮＢ２３０は、リモートラジオヘッド（ＲＲＨ：remote radio head）と呼ばれることがある。低電力ｅＮＢ２３０は、フェムトセルｅＮＢ（たとえば、ホームｅＮＢ（ＨｅＮＢ））、ピコセルｅＮＢ、マイクロセルｅＮＢなどを含み得る。
【００２７】
[0039]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがダウンリンク（ＤＬ）上で使用され、ＳＣ−ＦＤＭＡがアップリンク（ＵＬ）上で使用される。本明細書で提示される様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを提供するためにＣＤＭＡを採用する。別の例として、これらの概念はまた、ＷＣＤＭＡおよびＣＤＭＡの他の変形態（たとえば、ＴＤ−ＳＣＤＭＡ、ＴＤＭＡを採用するＧＳＭ、Ｅ−ＵＴＲＡなど）を採用するＵＴＲＡ、ＵＭＢ、ＩＥＥＥ８０２．１１（Ｗｉ−Ｆｉ）、ＩＥＥＥ８０２．１６（ＷｉＭＡＸ）、ＩＥＥＥ８０２．２０、ＯＦＤＭＡを採用するＦｌａｓｈ−ＯＦＤＭなどに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００２８】
[0040]ｅＮＢ２１０は、ＭＩＭＯ技術をサポートする複数のアンテナを有し得る。ＭＩＭＯ技術の使用は、ｅＮＢ２１０が、空間多重化、ビームフォーミング、および送信ダイバーシティをサポートするために空間領域を活用することを可能にする。空間多重化は、データの異なるストリームを同じ周波数上で同時に送信するために使用され得る。データストリームは、データレートを増加させるために単一のＵＥ１４５、２５０に送信されるか、または全体的なシステム容量を増加させるために複数のＵＥ２５０に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成され得る。空間的にプリコーディングされたデータストリームは、異なる空間シグネチャとともに（１つまたは複数の）ＵＥ２５０に到着し、これは、（１つまたは複数の）ＵＥ２５０の各々が、そのＵＥ１４５、２５０に宛てられた１つまたは複数のデータストリームを復元することを可能にする。ＵＬ上で、各ＵＥ１４５、２５０は、空間的にプリコーディングされたデータストリームを送信し、これは、ｅＮＢ２１０が、各空間的にプリコーディングされたデータストリームのソースを識別することを可能にする。
【００２９】
[0041]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３０】
[0042]以下の詳細な説明では、ＤＬ上でＯＦＤＭをサポートするＭＩＭＯシステムを参照しながらアクセスネットワークの様々な態様が説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００３１】
[0043]図２に示されているデバイスおよびセルの数および配置は、一例として与えられている。実際には、図２に示されているものと比べて、追加のデバイスおよび／またはセル、より少数のデバイスおよび／またはセル、異なるデバイスおよび／またはセル、あるいは別様に構成されたデバイスおよび／またはセルがあり得る。さらに、図２に示されている２つまたはそれ以上のデバイスは単一のデバイス内で実装され得、または図２に示されている単一のデバイスは複数の分散されたデバイスとして実装され得る。追加または代替として、図２に示されているデバイスのセット（たとえば、１つまたは複数のデバイス）が、図２に示されているデバイスの別のセットによって実施されるものとして説明される１つまたは複数の機能を実施し得る。
【００３２】
[0044]図３は、本開示の様々な態様による、ＬＴＥにおけるダウンリンク（ＤＬ）フレーム構造の一例３００を示す図である。（たとえば、１０ｍｓの）フレームは、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロック（ＲＢ）を含む。リソースグリッドは複数のリソース要素に分割される。ＬＴＥでは、リソースブロックは、周波数領域中に１２個の連続するサブキャリアを含み、各ＯＦＤＭシンボル中のノーマルサイクリックプレフィックスについて、時間領域中に７つの連続するＯＦＤＭシンボル、または８４個のリソース要素を含む。拡張サイクリックプレフィックスについて、リソースブロックは、時間領域中に６つの連続するＯＦＤＭシンボルを含み、７２個のリソース要素を有する。Ｒ３１０およびＲ３２０として示されているリソース要素のうちのいくつかはＤＬ基準信号（ＤＬ−ＲＳ：DL reference signals）を含む。ＤＬ−ＲＳは、（共通ＲＳと呼ばれることもある）セル固有ＲＳ（ＣＲＳ：Cell-specific RS）３１０と、ＵＥ固有ＲＳ（ＵＥ−ＲＳ：UE-specific RS）３２０とを含む。ＵＥ−ＲＳ３２０は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００３３】
[0045]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ：cyclic prefix）をもつ各無線フレームのサブフレーム０および５の各々中のシンボル期間６および５において送られ得る。同期信号は、セル検出および収集のためにＵＥによって使用され得る。ｅＮＢは、サブフレーム０のスロット１中のシンボル期間０〜３において物理ブロードキャストチャネル（ＰＢＣＨ：Physical Broadcast Channel）を送り得る。ＰＢＣＨは、あるシステム情報を搬送し得る。
【００３４】
[0046]ｅＮＢは、各サブフレームの第１のシンボル期間において物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を伝達し得、ただし、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間において物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中で物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００３５】
[0047]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、また特定のＵＥにユニキャスト方式でＰＤＳＣＨを送り得る。
【００３６】
[0048]各シンボル期間においていくつかのリソース要素が利用可能であり得る。各リソース要素（ＲＥ：resource element）は、１つのシンボル期間において１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）中に配置され得る。各ＲＥＧは１つのシンボル期間において４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨ用の３つのＲＥＧは、すべてシンボル期間０中に属し得るか、またはシンボル期間０、１、および２中で拡散され得る。ＰＤＣＣＨは、たとえば、最初のＭ個のシンボル期間において、利用可能なＲＥＧから選択され得る、９、１８、３６、または７２個のＲＥＧを占有し得る。ＲＥＧのいくつかの組合せのみがＰＤＣＣＨに対して可能にされ得る。
【００３７】
[0049]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれかにおいてＵＥにＰＤＣＣＨを送り得る。
【００３８】
[0050]上記のように、図３は一例として与えられている。他の例が可能であり、図３に関して上記で説明されたものとは異なり得る。
【００３９】
[0051]図４は、本開示の様々な態様による、ＬＴＥにおけるアップリンク（ＵＬ）フレーム構造の一例４００を示す図である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００４０】
[0052]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００４１】
[0053]初期システムアクセスを実施し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは（たとえば、１ｍｓの）単一のサブフレーム中でまたは少数の連続サブフレームのシーケンス中で搬送され、ＵＥは、（たとえば、１０ｍｓの）フレームごとに単一のＰＲＡＣＨ試みのみを行うことができる。
【００４２】
[0054]上記のように、図４は一例として与えられている。他の例が可能であり、図４に関して上記で説明されたものとは異なり得る。
【００４３】
[0055]図５は、本開示の様々な態様による、ＬＴＥにおけるユーザプレーンおよび制御プレーンのための無線プロトコルアーキテクチャの一例５００を示す図である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤは本明細書では物理レイヤ５１０と呼ばれる。レイヤ２（Ｌ２レイヤ）５２０は、物理レイヤ５１０の上にあり、物理レイヤ５１０を介したＵＥとｅＮＢとの間のリンクを担当する。
【００４４】
[0056]ユーザプレーンでは、Ｌ２レイヤ５２０は、ネットワーク側のｅＮＢにおいて終端される、メディアアクセス制御（ＭＡＣ）サブレイヤ５３０と、無線リンク制御（ＲＬＣ）サブレイヤ５４０と、パケットデータコンバージェンスプロトコル（ＰＤＣＰ）５５０サブレイヤとを含む。図示されていないが、ＵＥは、ネットワーク側のパケットデータネットワーク（ＰＤＮ）ゲートウェイにおいて終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５２０の上にいくつかの上位レイヤを有し得る。
【００４５】
[0057]ＰＤＣＰサブレイヤ５５０は、異なる無線ベアラと論理チャネルとの間の多重化を行う。ＰＤＣＰサブレイヤ５５０はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５４０は、上位レイヤデータパケットのセグメンテーションおよびリアセンブリと、紛失データパケットの再送信と、ハイブリッド自動再送要求（ＨＡＲＱ）による、順序が狂った受信を補償するためのデータパケットの並べ替えとを行う。ＭＡＣサブレイヤ５３０は、論理チャネルとトランスポートチャネルとの間の多重化を行う。ＭＡＣサブレイヤ５３０はまた、ＵＥの間で１つのセル中の様々な無線リソース（たとえば、リソースブロック）を割り振ることを担当する。ＭＡＣサブレイヤ５３０はまた、ＨＡＲＱ動作を担当する。
【００４６】
[0058]制御プレーンでは、ＵＥおよびｅＮＢのための無線プロトコルアーキテクチャは、制御プレーンのためのヘッダ圧縮機能がないことを除いて、物理レイヤ５１０およびＬ２レイヤ５２０について実質的に同じである。制御プレーンはまた、レイヤ３（Ｌ３レイヤ）中に無線リソース制御（ＲＲＣ）サブレイヤ５６０を含む。ＲＲＣサブレイヤ５６０は、無線リソース（すなわち、無線ベアラ）を取得することと、ｅＮＢとＵＥとの間のＲＲＣシグナリングを使用して下位レイヤを構成することとを担当する。
【００４７】
[0059]上記のように、図５は一例として与えられている。他の例が可能であり、図５に関して上記で説明されたものとは異なり得る。
【００４８】
[0060]図６は、本開示の様々な態様による、アクセスネットワーク中のｅＮＢ１１０、２１０、２３０、およびＵＥ１４５、２５０の例示的な構成要素６００を示す図である。図６に示されているように、ｅＮＢ１１０、２１０、２３０は、コントローラ／プロセッサ６０５と、ＴＸプロセッサ６１０と、チャネル推定器６１５と、アンテナ６２０と、送信機６２５ＴＸと、受信機６２５ＲＸと、ＲＸプロセッサ６３０と、メモリ６３５とを含み得る。図６にさらに示されているように、ＵＥ１４５、２５０は、たとえば、トランシーバＴＸ／ＲＸ６４０の受信機ＲＸと、たとえば、トランシーバＴＸ／ＲＸ６４０の送信機ＴＸと、アンテナ６４５と、ＲＸプロセッサ６５０と、チャネル推定器６５５と、コントローラ／プロセッサ６６０と、メモリ６６５と、データシンク６７０と、データソース６７５と、ＴＸプロセッサ６８０とを含み得る。
【００４９】
[0061]ＤＬでは、コアネットワークからの上位レイヤパケットが、コントローラ／プロセッサ６０５に与えられる。コントローラ／プロセッサ６０５はＬ２レイヤの機能を実装する。ＤＬでは、コントローラ／プロセッサ６０５は、様々な優先度メトリックに少なくとも部分的に基づいて、ヘッダ圧縮と、暗号化と、パケットのセグメンテーションおよび並べ替えと、論理チャネルとトランスポートチャネルとの間の多重化と、ＵＥ１４５、２５０への無線リソース割振りとを行う。コントローラ／プロセッサ６０５はまた、ＨＡＲＱ動作と、紛失パケットの再送信と、ＵＥ１４５、２５０へのシグナリングとを担当する。
【００５０】
[0062]ＴＸプロセッサ６１０は、Ｌ１レイヤ（たとえば、物理レイヤ）のための様々な信号処理機能を実装する。信号処理機能は、ＵＥ１４５、２５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に少なくとも部分的に基づいた信号コンスタレーションへのマッピングとを可能にするために、コーディングとインターリービングとを含む。コーディングされ、変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで時間領域ＯＦＤＭシンボルストリームを搬送する物理チャネルを生成するために、逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６１５からのチャネル推定値は、コーディングおよび変調方式を決定するために、ならびに空間処理のために使用され得る。チャネル推定値は、ＵＥ１４５、２５０によって送信された基準信号および／またはチャネル状態フィードバックから導出され得る。各空間ストリームは、次いで、たとえば、トランシーバＴＸ／ＲＸ６２５の別の（separate）送信機ＴＸを介して異なるアンテナ６２０に与えられる。各送信機ＴＸは、送信のためにそれぞれの空間ストリームでＲＦキャリアを変調する。
【００５１】
[0063]ＵＥ１４５、２５０において、たとえば、トランシーバＴＸ／ＲＸ６４０の各受信機ＲＸは、それのそれぞれのアンテナ６４５を通して信号を受信する。各受信機ＲＸは、ＲＦキャリア上に変調された情報を復元し、受信機（ＲＸ）プロセッサ６５０に情報を与える。ＲＸプロセッサ６５０は、Ｌ１レイヤの様々な信号処理機能を実装する。ＲＸプロセッサ６５０は、ＵＥ１４５、２５０に宛てられた任意の空間ストリームを復元するために、情報に対して空間処理を実施する。複数の空間ストリームがＵＥ１４５、２５０に宛てられた場合、空間ストリームは、ＲＸプロセッサ６５０によって単一のＯＦＤＭシンボルストリームに合成され得る。ＲＸプロセッサ６５０は、次いで高速フーリエ変換（ＦＦＴ：Fast Fourier Transform）を使用してＯＦＤＭシンボルストリームを時間領域から周波数領域に変換する。周波数領域信号はＯＦＤＭ信号のサブキャリアごとに別々のＯＦＤＭシンボルストリームを備える。各サブキャリア上のシンボルおよび基準信号は、ｅＮＢ１１０、２１０、２３０によって送信される、最も可能性が高い信号のコンスタレーションポイントを決定することによって復元され、復調される。これらの軟判定は、チャネル推定器６５５によって計算されるチャネル推定値に少なくとも部分的に基づき得る。軟判定は、次いで、物理チャネル上でｅＮＢ１１０、２１０、２３０によって最初に送信されたデータと制御信号とを復元するために復号され、デインターリーブされる。データおよび制御信号は、次いで、コントローラ／プロセッサ６６０に与えられる。
【００５２】
[0064]コントローラ／プロセッサ６６０はＬ２レイヤを実装する。コントローラ／プロセッサ６６０は、プログラムコードとデータとを記憶するメモリ６６５に関連し得る。メモリ６６５は非一時的コンピュータ可読媒体を含み得る。ＵＬでは、コントローラ／プロセッサ６６０は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上のすべてのプロトコルレイヤを表す、データシンク６７０に与えられる。また、様々な制御信号がＬ３処理のためにデータシンク６７０に与えられ得る。コントローラ／プロセッサ６６０はまた、ＨＡＲＱ動作をサポートするために肯定応答（ＡＣＫ）および／または否定応答（ＮＡＣＫ）プロトコルを使用した誤り検出を担当する。
【００５３】
[0065]ＵＬでは、データソース６７５は、コントローラ／プロセッサ６６０に上位レイヤパケットを与えるために使用される。データソース６７５は、Ｌ２レイヤの上のすべてのプロトコルレイヤを表す。ｅＮＢ１１０、２１０、２３０によるＤＬ送信に関して説明された機能と同様に、コントローラ／プロセッサ６６０は、ヘッダ圧縮と、暗号化と、パケットセグメンテーションおよび並べ替えと、ｅＮＢ１１０、２１０、２３０による無線リソース割振りに少なくとも部分的に基づいて論理チャネルとトランスポートチャネルとの間の多重化とを行うことによって、ユーザプレーンおよび制御プレーンのためのＬ２レイヤを実装する。コントローラ／プロセッサ６６０はまた、ＨＡＲＱ動作と、紛失パケットの再送信と、ｅＮＢ１１０、２１０、２３０へのシグナリングとを担当する。
【００５４】
[0066]ｅＮＢ１１０、２１０、２３０によって送信される基準信号またはフィードバックからの、チャネル推定器６５５によって導出されるチャネル推定値は、適切なコーディングおよび変調方式を選択することと、空間処理を可能にすることとを行うために、ＴＸプロセッサ６８０によって使用され得る。ＴＸプロセッサ６８０によって生成される空間ストリームは、たとえば、トランシーバＴＸ／ＲＸ６４０の別個の送信機ＴＸを介して異なるアンテナ６４５に与えられる。たとえば、トランシーバＴＸ／ＲＸ６４０の各送信機ＴＸは、送信のためにそれぞれの空間ストリームでＲＦキャリアを変調する。
【００５５】
[0067]ＵＬ送信は、ＵＥ１４５、２５０における受信機機能に関して説明された様式と同様の様式でｅＮＢ１１０、２１０、２３０において処理される。たとえば、トランシーバＴＸ／ＲＸ６２５の各受信機ＲＸは、それのそれぞれのアンテナ６２０を通して信号を受信する。たとえば、トランシーバＴＸ／ＲＸ６２５の各受信機ＲＸは、ＲＦキャリア上に変調された情報を復元し、ＲＸプロセッサ６３０に情報を与える。ＲＸプロセッサ６３０はＬ１レイヤを実装し得る。
【００５６】
[0068]コントローラ／プロセッサ６０５はＬ２レイヤを実装する。コントローラ／プロセッサ６０５は、プログラムコードとデータとを記憶するメモリ６３５に関連し得る。メモリ６３５はコンピュータ可読媒体と呼ばれることがある。ＵＬでは、コントロール／プロセッサ６０５は、ＵＥ１４５、２５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６０５からの上位レイヤパケットはコアネットワークに与えられ得る。コントローラ／プロセッサ６０５はまた、ＨＡＲＱ動作をサポートするためにＡＣＫおよび／またはＮＡＣＫプロトコルを使用した誤り検出を担当する。
【００５７】
[0069]ＵＥ１４５、２５０の１つまたは複数の構成要素は、本明細書の他の場所でより詳細に説明されるように、キャリアアグリゲーションおよびクロスキャリアスケジューリング中の仮想無線リンク監視を実施するように構成され得る。たとえば、ＵＥ１４５、２５０のコントローラ／プロセッサ６６０ならびに／または他のプロセッサおよびモジュールは、たとえば、図１１のプロセス１１００、図１２のプロセス１２００、図１３のプロセス１３００、および／または本明細書で説明される他のプロセスの動作を実施あるいは指示し（direct）得る。いくつかの態様では、例示的なプロセス１１００、例示的なプロセス１２００、例示的なプロセス１３００、および／または本明細書で説明される技法のための他のプロセスを実施するために、図６に示されている構成要素のうちの１つまたは複数が採用され得る。
【００５８】
[0070]図６に示されている構成要素の数および配置は、一例として与えられている。実際には、図６に示されているものと比べて、追加の構成要素、より少数の構成要素、異なる構成要素、または別様に構成された構成要素があり得る。さらに、図６に示されている２つまたはそれ以上の構成要素は単一の構成要素内で実装され得、または図６に示されている単一の構成要素は複数の分散された構成要素として実装され得る。追加または代替として、図６に示されている構成要素のセット（たとえば、１つまたは複数の構成要素）が、図６に示されている構成要素の別のセットによって実施されるものとして説明される１つまたは複数の機能を実施し得る。
【００５９】
[0071]図７Ａおよび図７Ｂは、本開示の様々な態様による、キャリアアグリゲーションタイプの例７００を示す図である。
【００６０】
[0072]いくつかの態様では、ＵＥ１４５、２５０は、送信および受信のために使用される最高（up to）合計１００ＭＨｚ（たとえば、５つのコンポーネントキャリア）のキャリアアグリゲーションにおいて割り振られた、最高２０ＭＨｚ帯域幅のスペクトルを使用し得る。ＬＴＥアドバンスト対応ワイヤレス通信システムのために、２つのタイプのキャリアアグリゲーション（ＣＡ：carrier aggregation）方法、すなわち、それぞれ、図７Ａおよび図７Ｂに示されている連続ＣＡおよび不連続ＣＡが使用され得る。連続ＣＡは、（たとえば、図７Ａに示されているように、）複数の利用可能なコンポーネントキャリアが互いに隣接するときに生じる。一方、不連続ＣＡは、（たとえば、図７Ｂに示されているように）複数の（multiple）隣接しない利用可能なコンポーネントキャリアが周波数帯域に沿って分離され（separated along）、および／または異なる周波数帯域中に含まれるときに生じる。
【００６１】
[0073]不連続ＣＡと連続ＣＡの両方は、ＬＴＥアドバンストＵＥ１４５、２５０の単一ユニットをサービスするために複数のコンポーネントキャリアをアグリゲートし得る。様々な例では、（たとえば、キャリアアグリゲーションとも呼ばれる）マルチキャリアシステムにおいて動作するＵＥ１４５、２５０は、１次キャリアと呼ばれることがある同じキャリア上で、制御機能およびフィードバック機能など、複数のキャリアのいくつかの機能をアグリゲートするように構成される。サポートのために１次キャリアに依存する残りのキャリアは、２次キャリアと呼ばれることがある。たとえば、ＵＥ１４５、２５０は、随意の専用チャネル（ＤＣＨ：dedicated channel）、スケジュールされない許可、物理アップリンク制御チャネル（ＰＵＣＣＨ）、および／または物理ダウンリンク制御チャネル（ＰＤＣＣＨ）によって提供される制御機能などの制御機能をアグリゲートし得る。
【００６２】
[0074]上記のように、図７Ａおよび図７Ｂは例として与えられている。他の例が可能であり、図７Ａおよび図７Ｂに関して説明されたものとは異なり得る。
【００６３】
[0075]図８Ａ〜図８Ｃは、本開示の様々な態様による、キャリアアグリゲーションおよびクロスキャリアスケジューリング中の仮想無線リンク監視の一例８００を示す図である。図８Ａに示されているように、ＵＥ１４５、２５０は、キャリアアグリゲーションのために、３つのセルに対応する、３つのコンポーネントキャリアを使用してｅＮＢ１１０、２１０、２３０と通信する。第１のコンポーネントキャリアは、１次コンポーネントキャリア（ＰＣＣ）として示されており、１次セル（「ＰＣｅｌｌ」）に関連する。第２のコンポーネントキャリアは、第１の２次コンポーネントキャリア（ＳＣＣ）であり、第１の２次セル（「ＳＣｅｌｌ」）に関連する。第１のＳＣＣはマスタＳＣＣとして示されており、第１のＳＣｅｌｌはマスタＳＣｅｌｌとして示されている。第３のコンポーネントキャリアは、第２のＳＣＣであり、第２のＳＣｅｌｌに関連する。第２のＳＣＣはスレーブＳＣＣとして示されており、第２のＳＣｅｌｌはスレーブＳＣｅｌｌとして示されている。
【００６４】
[0076]図８Ａにさらに示されているように、マスタＳＣｅｌｌは、スレーブＳＣｅｌｌのための制御情報を与える。たとえば、ＵＥ１４５、２５０およびｅＮＢ１１０、２１０、２３０は、マスタＳＣｅｌｌがスレーブＳＣｅｌｌのためのアップリンク許可および／またはダウンリンク許可をスケジュールする、クロスキャリアスケジューリングを使用し得る。追加または代替として、マスタＳＣｅｌｌは、（たとえば、マスタＳＣｅｌｌに関連するＰＤＣＣＨ、マスタＳＣｅｌｌに関連するＰＵＣＣＨなどを介して）スレーブＳＣｅｌｌのための他の制御情報を与え得る。この構成では、マスタＳＣｅｌｌが、（たとえば、不十分な（poor）信号品質、マスタＳＣＣからの離調、マスタＳＣｅｌｌの構成解除（de-configuration）などにより）利用不可能である場合、スレーブＳＣｅｌｌのための制御情報はＵＥ１４５、２５０によって確実に受信されないことがある（may not be reliably received）。したがって、ＵＥ１４５、２５０は、スレーブＳＣｅｌｌをアクティブ状態に維持することによって、リソース（たとえば、バッテリー電力、ネットワークリソースなど）を浪費し得る。本明細書で説明される技法および装置は、マスタＳＣｅｌｌがスレーブＳＣｅｌｌのための制御情報を与えることができない（たとえば、または確実に与えることができない）とき、スレーブＳＣｅｌｌを非アクティブ化すること（deactivating）によって、リソースを温存する（conserve）。
【００６５】
[0077]図８Ａに示されているコンポーネントキャリアおよびセルの数は、一例として与えられている。いくつかの態様では、ＵＥ１４５、２５０およびｅＮＢ１１０、２１０、２３０は、キャリアアグリゲーションを介して通信するために追加のコンポーネントキャリアおよび／またはセル（たとえば、４つのセルに対応する４つのコンポーネントキャリア、５つのセルに対応する５つのコンポーネントキャリアなど）を使用し得る。追加または代替として、マスタＳＣｅｌｌは、複数のスレーブＳＣｅｌｌ（たとえば、２つのスレーブＳＣｅｌｌ、３つのスレーブＳＣｅｌｌなど）のための制御情報を与え得る。この場合、スレーブＳＣｅｌｌに関連して本明細書で説明される動作は、マスタＳＣｅｌｌが制御情報を与える、複数のスレーブＳＣｅｌｌに適用され得る。
【００６６】
[0078]図８Ｂに示されているように、ＵＥ１４５、２５０はマスタＳＣＣを監視し得る。たとえば、ＵＥ１４５、２５０は、マスタＳＣＣに関連する無線リンク状態を決定すること、ＵＥ１４５、２５０がマスタＳＣＣから離調したかどうかを検出すること、ｅＮＢ１１０、２１０、２３０がマスタＳＣｅｌｌを構成解除したかどうかを検出することなどを行うためにマスタＳＣＣを監視し得る。マスタＳＣＣを監視することに少なくとも部分的に基づいて、ＵＥ１４５、２５０は、マスタＳＣＣが無線リンク障害を経験したとき、ＵＥ１４５、２５０がマスタＳＣＣから離調したとき、マスタＳＣｅｌｌが構成解除されたとき、マスタＳＣａｌｌが非アクティブ化されたときなど、スレーブＳＣｅｌｌを非アクティブ化するなど、スレーブＳＣｅｌｌに関連するアクションを実施し得る。このようにして、ＵＥ１４５、２５０は、（たとえば、スレーブＳＣｅｌｌのために実施すべきアクションを決定するためにマスタＳＣＣを、たとえば、監視することによって）スレーブＳＣｅｌｌのための仮想無線リンク監視を実施し得る。
【００６７】
[0079]マスタＳＣＣを監視することに少なくとも部分的に基づいて、スレーブＳＣｅｌｌを非アクティブ化することによって、ＵＥ１４５、２５０は、処理リソース、ネットワークリソース、バッテリー電力などを温存し得る。たとえば、スレーブＳＣｅｌｌのための制御情報が、マスタＳＣｅｌｌを介してもはや受信され得ない（たとえば、または確実に受信され得ない）ことをＵＥ１４５、２５０が検出した場合、ＵＥ１４５、２５０は、スレーブＳＣｅｌｌを介してｅＮＢ１１０、２１０、２３０と通信することができなくなることがある。この場合、スレーブＳＣｅｌｌがアクティブなままである場合、ＵＥ１４５、２５０は、使用不可能なスレーブＳＣｅｌｌをアクティブ状態に維持することによって、リソースおよび／または電力を浪費することがある。スレーブＳＣｅｌｌを非アクティブ化することによって、ＵＥ１４５、２５０は、これらのリソースおよび／または電力を温存し得る。
【００６８】
[0080]いくつかの態様では、ＵＥ１４５、２５０は、スレーブＳＣｅｌｌのための広帯域処理をオフにすることによって、スレーブＳＣｅｌｌを非アクティブ化し得る。追加または代替として、ＵＥ１４５、２５０は、スレーブＳＣｅｌｌの１つまたは複数のチャネル（たとえば、ＰＤＣＣＨ、ＰＤＳＣＨなど）の監視をオフにすることによって、スレーブＳＣｅｌｌを非アクティブ化し得る。追加または代替として、ＵＥ１４５、２５０は、スレーブＳＣｅｌｌのアップリンクチャネル上の通信送信をオフにすることによって、スレーブＳＣｅｌｌを非アクティブ化し得る。追加または代替として、ＵＥ１４５、２５０は、チャネル状態情報の報告をオフにすることによって、スレーブＳＣｅｌｌを非アクティブ化し得る。いくつかの態様では、スレーブＳＣｅｌｌが非アクティブ化されたとき、ＵＥ１４５、２５０は、たとえば、ｅＮＢおよび／またはネイバーｅＮＢのためのスレーブＳＣｅｌｌに関連する基準信号パラメータ（たとえば、基準信号受信電力（ＲＳＲＰ）パラメータ、基準信号受信品質（ＲＳＲＱ）パラメータなど）など、選択信号品質パラメータを測定する（たとえば、周期的に測定する）ことを除いて、スレーブＳＣｅｌｌに関連するいかなるアクションをも実施しないことがある。
【００６９】
[0081]いくつかの態様では、ＵＥ１４５、２５０は、マスタＳＣＣに関連する無線リンク障害を検出し得、無線リンク障害を検出することに少なくとも部分的に基づいて、スレーブＳＣＣに関連するスレーブＳＣｅｌｌを非アクティブ化し得る。たとえば、ＵＥ１４５、２５０は、（たとえば、信号対干渉プラス雑音比（ＳＩＮＲ）パラメータ、基準信号受信電力（ＲＳＲＰ）パラメータ、基準信号受信品質（ＲＳＲＱ）パラメータなどに少なくとも部分的に基づいて）マスタＳＣＣに関連する信号品質を監視し得る。ＵＥ１４５、２５０が、信号品質がしきい値を満たさない（たとえば、しきい値を下回った）と決定した場合、ＵＥ１４５、２５０は、マスタＳＣＣに関連する無線リンク障害を検出し得る。いくつかの態様では、信号品質が、（たとえば、２つの連続する信号品質測定のための、３つの連続する信号品質測定のための、など）しきい値時間期間（threshold period of time）の間、しきい値を満たさない場合、ＵＥ１４５、２５０は、マスタＳＣＣに関連する無線リンク障害を検出し得る。いくつかの態様では、マスタＳＣＣの無線リンク障害を検出すること、および／または信号品質がしきい値を満たさないことを検出することに少なくとも部分的に基づいて、ＵＥ１４５、２５０は、ＵＥ１４５、２５０がマスタＳＣｅｌｌを介してスレーブＳＣｅｌｌのための制御情報をもはや確実に受信することができないので、スレーブＳＣｅｌｌを非アクティブ化し得る。
【００７０】
[0082]いくつかの態様では、ＵＥ１４５、２５０は、ＵＥ１４５、２５０がマスタＳＣＣから離調したことを検出し得、ＵＥ１４５、２５０がマスタＳＣＣから離調したことを検出することに少なくとも部分的に基づいて、スレーブＳＣｅｌｌを非アクティブ化し得る。たとえば、ＵＥ１４５、２５０は、共有ＲＦチェーンを使用して複数のサブスクリプションに対する同時通信を可能にするマルチ加入者識別モジュール（ＳＩＭ）ＵＥおよび／またはマルチスタンバイＵＥであり得る。この場合、ＵＥ１４５、２５０は、通信のために、マスタＳＣｅｌｌを第１のチャネル（たとえば、周波数）から第２のチャネル（たとえば、周波数）に切り替えることが可能であり得る。ＵＥ１４５、２５０は、マスタＳＣｅｌｌに対する（on）、第１のチャネル（たとえば、マスタＳＣＣ）から第２のチャネルへのそのような離調を検出するために、マスタＳＣＣを監視し得る。ＵＥ１４５、２５０が、ＵＥ１４５、２５０がマスタＳＣＣから離調したことを検出した場合、ＵＥ１４５、２５０は、ＵＥ１４５、２５０がマスタＳＣｅｌｌを介してスレーブＳＣｅｌｌのための制御情報をもはや受信することができないので、スレーブＳＣｅｌｌを非アクティブ化し得る。
【００７１】
[0083]いくつかの態様では、ＵＥ１４５、２５０は、マスタＳＣｅｌｌが構成解除または非アクティブ化されたと決定し得、マスタＳＣｅｌｌが構成解除または非アクティブ化されたと決定することに少なくとも部分的に基づいて、スレーブＳＣｅｌｌを非アクティブ化し得る。たとえば、ｅＮＢ１１０、２１０、２３０は、マスタＳＣｅｌｌが他のセルのための制御情報を与えるようにもはや構成されないように、マスタＳＣｅｌｌを構成解除し得る。この場合、ＵＥ１４５、２５０は、マスタＳＣｅｌｌが構成解除または非アクティブ化されたかどうかを決定するために、（たとえば、関連するマスタＳＣＣを監視することによって）マスタＳＣｅｌｌを監視し得る。ＵＥ１４５、２５０が、マスタＳＣｅｌｌが構成解除または非アクティブ化されたことを検出した場合、いくつかの態様では、ＵＥ１４５、２５０は、ＵＥ１４５、２５０がマスタＳＣｅｌｌを介してスレーブＳＣｅｌｌのための制御情報をもはや受信することができないので、スレーブＳＣｅｌｌを非アクティブ化し得る。
【００７２】
[0084]図８Ｃに示されているように、スレーブＳＣｅｌｌを非アクティブ化した後、ＵＥ１４５、２５０は、チャネル状態情報（ＣＳＩ：channel state information）を決定および報告するために、スレーブＳＣｅｌｌを周期的にアクティブ化し得る。ＵＥ１４５、２５０は、ｅＮＢ１１０、２１０、２３０がスレーブＳＣｅｌｌの無線状態に関する正確な（accurate）情報を有するように、ＣＳＩをｅＮＢ１１０、２１０、２３０に報告し得る。いくつかの態様では、ｅＮＢ１１０、２１０、２３０は、キャリアアグリゲーションおよび／またはクロスキャリアスケジューリングに関連するＥ−ＵＴＲＡＮ１０５（たとえば、コンポーネントキャリアおよび／またはセル）を再構成するためにＣＳＩを使用し得る。たとえば、マスタＳＣｅｌｌが無線リンク障害を経験した場合、ＵＥ１４５、２５０は、マスタＳＣｅｌｌのための０のチャネル品質インジケータ（ＣＱＩ：channel quality indicator）値を報告し得る。追加または代替として、ＵＥ１４５、２５０は、スレーブＳＣｅｌｌのためのＣＱＩ値を周期的に報告し得る。ｅＮＢ１１０、２１０、２３０は、ネットワークを構成するために異なるセルのためのＣＱＩ値を使用し得る。いくつかの態様では、ＣＳＩは、ＣＱＩ値、プリコーディング行列インジケータ（ＰＭＩ：precoding matrix indicator）値、ランクインジケータ（ＲＩ：rank indicator）値などを含み得る。
【００７３】
[0085]いくつかの態様では、ＵＥ１４５、２５０は、たとえば、広帯域処理をオンにすること、スレーブＳＣｅｌｌの１つまたは複数のチャネル（たとえば、ＰＤＣＣＨ、ＰＤＳＣＨなど）の監視をオンにすること、スレーブＳＣｅｌｌのアップリンクチャネル上の通信送信をオンにすること、チャネル状態情報の報告をオンにすることなどによって、スレーブＳＣｅｌｌをアクティブ化し得る。
【００７４】
[0086]いくつかの態様では、ＵＥ１４５、２５０は、マスタＳＣＣを監視し得、マスタＳＣＣを監視することに少なくとも部分的に基づいて、第１の時間期間中に（たとえば、スレーブＳＣＣに関連する）スレーブＳＣｅｌｌを非アクティブ化し得る。ＵＥ１４５、２５０は、次いで、第１の時間期間の後に起こる第２の時間期間中に、スレーブＳＣｅｌｌをアクティブ化し得る。ＵＥ１４５、２５０は、第２の時間期間中にスレーブＳＣｅｌｌをアクティブ化することに少なくとも部分的に基づいて、スレーブＳＣｅｌｌに関連するＣＳＩを決定し得る。たとえば、ＵＥ１４５、２５０は、第２の時間期間中にＣＳＩを測定し得、測定されたＣＳＩをｅＮＢ１１０、２１０、２３０に報告し得る。ＣＳＩを測定した後、ＵＥ１４５、２５０は、第２の時間期間の後に起こる第３の時間期間中に、スレーブＳＣｅｌｌを非アクティブ化し得る。このようにして、ＵＥ１４５、２５０は、スループット損失を回避するためにｅＮＢ１１０、２１０、２３０に有用であり得、および（たとえば、マスタＳＣＣが無線リンク障害を経験したとき、ＵＥ１４５、２５０がマスタＳＣＣから離調したとき、マスタＳＣｅｌｌが構成解除されたとき、マスタＳＣｅｌｌが非アクティブ化されたときなど）ＣＳＩを報告することができないために、（たとえば、ＵＥ１４５、２５０に関連する接続を切断および再確立することによって）ＵＥ１４５、２５０を不利にすること（penalizing）を回避し得る、ＣＳＩを報告し得る。
【００７５】
[0087]ＵＥ１４５、２５０がマスタＳＣＣから離調したときなど、いくつかの態様では、ＵＥ１４５、２５０は、離調時間期間が離調しきい値を満たすと決定することに少なくとも部分的に基づいて、スレーブＳＣｅｌｌをアクティブ化し得る。離調時間期間は、ＵＥ１４５、２５０がマスタＳＣＣから離調される時間期間であり得る。ＵＥ１４５、２５０が、離調しきい値（たとえば、１秒、１０秒、１分など）を満たす離調時間期間の間、マスタＳＣＣから離調された場合、ＵＥ１４５、２５０は、スレーブＳＣｅｌｌに関連するＣＳＩを決定および報告するために、スレーブＳＣｅｌｌをアクティブ化し得る。このようにして、ＵＥ１４５、２５０は、スレーブＳＣｅｌｌのためのＣＳＩを報告することができないために不利にされることを回避し得る。
【００７６】
[0088]いくつかの態様では、ＵＥ１４５、２５０は、現在の時間期間中にスレーブＳＣｅｌｌをアクティブ化することを回避するために、前の時間期間中に測定された古いＣＳＩを報告し得、それにより、追加のリソースおよび／または電力を温存し得る。古いＣＳＩを報告することの詳細は、図９に関して以下でより詳細に与えられる。
【００７７】
[0089]上記のように、図８Ａ〜図８Ｃは例として与えられている。他の例が可能であり、図８Ａ〜図８Ｃに関して説明されたものとは異なり得る。
【００７８】
[0090]図９は、本開示の様々な態様による、チャネル状態情報を決定するためのスレーブ２次セルを周期的にアクティブ化する一例９００を示す図である。
【００７９】
[0091]図９に示されているように、ＵＥ１４５、２５０は、図８Ａ〜図８Ｃに関して上記で説明されたように第１の時間期間９１０中にスレーブＳＣｅｌｌを非アクティブ化し得る。さらに示されているように、ＵＥ１４５、２５０は、たとえば、第２の時間期間９２０中に、スレーブＳＣｅｌｌに関連するＣＳＩを測定し、ＣＳＩをｅＮＢに報告するために、通信のためにスレーブＳＣｅｌｌをアクティブ化し得る。第２の時間期間９２０は、ＵＥ１４５、２５０がＣＳＩをｅＮＢに報告することが予想される報告期間に対応し得る。第３の時間期間９３０中に、ＵＥ１４５、２５０は、スレーブＳＣｅｌｌを非アクティブ化し得、第３の時間期間９３０、第４の時間期間９４０、および第５の時間期間９５０中にスレーブＳＣｅｌｌを非アクティブ化された状態に維持し得る。
【００８０】
[0092]図示のように、第４の時間期間９４０は、ＵＥ１４５、２５０が、スレーブＳＣｅｌｌに関連するＣＳＩをｅＮＢに報告することが予想される報告期間に対応し得る。いくつかの態様では、ＵＥ１４５、２５０は、ＣＳＩを測定するために第４の時間期間９４０中にスレーブＳＣｅｌｌをアクティブ化することを回避することによって、リソースおよび／または電力を温存するように、第４の時間期間９４０中にスレーブＳＣｅｌｌに関連する古いＣＳＩを報告し得る。たとえば、第４の時間期間９４０中に、ＵＥは、第２の時間期間９２０中に測定された古いＣＳＩをｅＮＢに報告し得る。図示のように、第２の時間期間９２０および第４の時間期間９４０は、連続する報告期間に対応し得る。
【００８１】
[0093]さらに示されているように、ＵＥ１４５、２５０は、第６の時間期間９６０中に新しいＣＳＩを測定するためにスレーブＳＣｅｌｌをアクティブ化し得、新しいＣＳＩをｅＮＢに報告し得る。このようにして、ＵＥ１４５、２５０は、リソースおよび／または電力を温存するために、（たとえば、あらゆる報告期間中にＣＳＩを測定するとは限らないことによって（by not measuring the CSI during every reporting period））ＣＳＩをサブサンプリングし得る。そのようなサブサンプリングは、ＵＥ１４５、２５０がスレーブＳＣｅｌｌを介して通信を受信していないので、ネットワークリソースへの悪影響（negative impact）を有しないことがあり、したがって、悪影響が及ぼされるべき通信はない。さらに、ＵＥ１４５、２５０は、あらゆる報告期間中にＣＳＩをｅＮＢに報告し得、ＣＳＩを報告することができないことに関連するリソース割振り不利益を回避し得る。
【００８２】
[0094]上記のように、図９は一例として与えられている。他の例が可能であり、図９に関して説明されたものとは異なり得る。
【００８３】
[0095]図１０は、本開示の様々な態様による、スレーブ２次セルの（たとえば、スレーブ２次セルに関連する）アップリンクチャネルのためのタイミングアドバンスを決定するためのタイミングアドバンスグループに関連するダウンリンク基準時間を使用する一例１０００を示す図である。
【００８４】
[0096]図１０に示されているように、ＵＥ１４５、２５０は、キャリアアグリゲーションのために、たとえば、３つのセルに対応する、３つのコンポーネントキャリアを使用してｅＮＢ１１０、２１０、２３０と通信する。第１のコンポーネントキャリアは、ＰＣｅｌｌに対応するＰＣＣとして示されている。ＰＣＣおよびＰＣｅｌｌは、アップリンクチャネル（たとえば、ＰＵＳＣＨ）およびダウンリンクチャネル（たとえば、ＰＤＳＣＨ）に関連する。第２のコンポーネントキャリアは、マスタＳＣｅｌｌとして示されている第１のＳＣｅｌｌに対応する、マスタＳＣＣとして示されている第１のＳＣＣである。マスタＳＣＣおよびマスタＳＣｅｌｌは、アップリンクチャネルおよび／またはダウンリンクチャネルに関連する。第３のコンポーネントキャリアは、スレーブＳＣｅｌｌとして示されている第２のＳＣｅｌｌに対応する、スレーブＳＣＣとして示されている第２のＳＣＣである。スレーブＳＣＣおよびスレーブＳＣｅｌｌは、アップリンクチャネルおよび／またはダウンリンクチャネルに関連する。マスタＳＣｅｌｌは、本明細書の他の場所で説明されるように、スレーブＳＣｅｌｌのための制御情報を与え得る。いくつかの態様では、ＵＥ１４５、２５０は、ＰＣｅｌｌからの許可（たとえば、ＵＬ許可）を受信し得る。
【００８５】
[0097]図示のように、ＰＣｅｌｌ、マスタＳＣｅｌｌ、およびスレーブＳＣｅｌｌは、たとえば、タイミングアドバンスグループの一部であり得る。たとえば、ＵＥ１４５、２５０は、これらのセルの各々について、アップリンク送信のために同じタイミングアドバンスを使用し得る。タイミングアドバンスは、受信されたダウンリンクサブフレームの開始と送信されたアップリンクサブフレームの開始との間の、ＵＥ１４５、２５０における、オフセットを指すことがある。タイミングアドバンスは、ダウンリンクサブフレームとアップリンクサブフレームとがｅＮＢ１１０、２１０、２３０において同期されることを保証するために使用され得る。複数のセルが同じタイミングアドバンスを使用するとき、第１のセル（たとえば、ＰＣｅｌｌ、マスタＳＣｅｌｌなど）のためのタイミングアドバンスは、１つまたは複数の第２のセル（たとえば、マスタＳＣｅｌｌ、スレーブＳＣｅｌｌなど）のために使用され得る。この構成では、ＵＥ１４５、２５０は、本明細書でより詳細に説明されるように、スレーブＳＣｅｌｌのダウンリンクチャネルが利用不可能または不適当であるときでも、通信のためにスレーブＳＣｅｌｌのアップリンクチャネルを使用するために、タイミングアドバンスグループを利用し、それにより、スループットを増加させ得る。
【００８６】
[0098]いくつかの態様では、ＵＥ１４５、２５０は、スレーブＳＣＣを監視し得、スレーブＳＣＣを監視することに少なくとも部分的に基づいて、（たとえば、スレーブＳＣＣに関連する）スレーブＳＣｅｌｌに関連するアクションを実施し得る。たとえば、ＵＥ１４５、２５０は、スレーブＳＣＣのダウンリンクチャネル上の無線リンク障害、離調などを検出するために、スレーブＳＣＣに関連するダウンリンクチャネルを監視し得る。言い換えれば、ＵＥ１４５、２５０は、ダウンリンク基準時間がスレーブＳＣｅｌｌのダウンリンクチャネルを介して受信される（たとえば、または確実に受信される）ことが可能でないことがあることを検出し得る。しかしながら、スレーブＳＣｅｌｌがタイミングアドバンスグループの一部であるので、ＵＥ１４５、２５０は、タイミングアドバンスグループ中に含まれる別のセル（たとえば、スレーブＳＣｅｌｌ以外のセル）に関連するダウンリンク基準時間を使用し得る。たとえば、ＵＥ１４５、２５０は、ＰＣｅｌｌ、マスタＳＣｅｌｌ、異なるスレーブＳＣｅｌｌなどに関連するダウンリンク基準時間を決定し得る。
【００８７】
[0099]他のセルに関連するダウンリンク基準時間を使用して、ＵＥ１４５、２５０は、スレーブＳＣｅｌｌのアップリンクチャネルのためのタイミングアドバンスを決定し得る。ＵＥ１４５、２５０は、タイミングアドバンスに少なくとも部分的に基づいて、スレーブＳＣｅｌｌのアップリンクチャネルを介して１つまたは複数の通信を送信し得る。たとえば、ＵＥ１４５、２５０は、タイミングアドバンスを使用して、受信されたダウンリンクサブフレームの開始から、送信されたアップリンクサブフレームの開始をオフセットし得る。スレーブＳＣｅｌｌ上のアップリンク通信のためのタイミングアドバンスを決定するために、スレーブＳＣｅｌｌと同じタイミングアドバンスグループ中に含まれるセルのためのダウンリンク基準時間を使用することによって、ＵＥ１４５、２５０は、ダウンリンク通信がスレーブＳＣｅｌｌ上で確実に受信され得ないときでも、スレーブＳＣｅｌｌ上でアップリンク通信を送信することが可能であり得る。このようにして、ＵＥ１４５、２５０は、データスループットを改善し得る。
【００８８】
[0100]上記のように、図１０は一例として与えられている。他の例が可能であり、図１０に関して説明されたものとは異なり得る。たとえば、図１０に示されているコンポーネントキャリアおよび／またはセルの数は、一例として与えられている。いくつかの態様では、ＵＥ１４５、２５０およびｅＮＢ１１０、２１０、２３０は、キャリアアグリゲーションを介して通信するために追加のコンポーネントキャリアおよび／またはセルを使用し得る。追加または代替として、マスタＳＣｅｌｌは、複数のスレーブＳＣｅｌｌのための制御情報を与え得る。この場合、スレーブＳＣｅｌｌに関連して本明細書で説明される動作は、マスタＳＣｅｌｌが制御情報を与える、複数のスレーブＳＣｅｌｌに適用され得る。追加または代替として、追加のセル、より少数のセル、および／または異なるセルがタイミングアドバンスグループ中に含まれ得る。
【００８９】
[0101]図１１は、本開示の様々な態様による、たとえば、ワイヤレス通信デバイスによって実施される例示的なプロセス１１００を示す図である。例示的なプロセス１１００は、ワイヤレス通信デバイス（たとえば、ＵＥ１４５、２５０）がキャリアアグリゲーションおよびクロスキャリアスケジューリング中に仮想無線リンク監視を実施する一例である。
【００９０】
[0102]図１１に示されているように、いくつかの態様では、プロセス１１００は、ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することを含み得、ここにおいて、１次セルがＰＣＣに関連し、第１の２次セルが第１のＳＣＣに関連し、第２の２次セルが第２のＳＣＣに関連し、第１の２次セルが、第２の２次セルのための制御情報（たとえば、スケジューリング情報）を与える（ブロック１１１０）。いくつかの態様では、ＵＥ１４５、２５０は、さらに、ＰＣｅｌｌからの許可（たとえば、ＵＬ許可）などの制御情報を受信し得る。たとえば、ワイヤレス通信デバイス（たとえば、ＵＥ１４５、２５０）は、ワイヤレス通信デバイスが、キャリアアグリゲーションのために、ＰＣＣと、第１のＳＣＣと、第２のＳＣＣとを使用するように構成されると決定し得る。ＰＣＣは１次セルに関連し得、第１のＳＣＣは第１の２次セルに関連し得、第２のＳＣＣは第２の２次セルに関連し得る。追加または代替として、ワイヤレス通信デバイスは、ワイヤレス通信デバイスが、第１のセルが第２のセルのための制御情報を与える、クロスキャリアスケジューリングのために構成されると決定し得る。たとえば、ワイヤレス通信デバイスは、第１の２次セルが第２の２次セルのための制御情報を与えると決定し得る。
【００９１】
[0103]図１１に示されているように、いくつかの態様では、プロセス１１００は、第１のＳＣＣまたは第２のＳＣＣのうちの少なくとも１つを監視することを含み得る（ブロック１１２０）。たとえば、ワイヤレス通信デバイス（たとえば、ＵＥ１４５、２５０）は第１のＳＣＣを監視し得る。追加または代替として、ワイヤレス通信デバイスは第２のＳＣＣを監視し得る。
【００９２】
[0104]いくつかの態様では、ワイヤレス通信デバイスは、第１のＳＣＣに関連する信号品質を監視し得る。いくつかの態様では、ワイヤレス通信デバイスは、（たとえば、信号品質を監視することに基づいて、第１のＳＣＣに関連する信号品質がしきい値を満たさないことを検出することに基づいてなど）無線リンク障害について第１のＳＣＣを監視し得る。追加または代替として、ワイヤレス通信デバイスは、ワイヤレス通信デバイスが第１のＳＣＣから（たとえば、別のＲＡＴ上のページおよび／またはボイス呼を監視するために）離調したかどうかを決定するために第１のＳＣＣを監視し得る。追加または代替として、ワイヤレス通信デバイスは、第１の２次セルが構成解除または非アクティブ化されたかどうかを決定するために第１のＳＣＣを監視し得る。
【００９３】
[0105]いくつかの態様では、ワイヤレス通信デバイスは、第２のＳＣＣに関連する信号品質を監視し得る。たとえば、ワイヤレス通信デバイスは、第２のＳＣＣに関連するまたは第２のＳＣＣのダウンリンクチャネルに関連する信号品質を監視し得る。いくつかの態様では、ワイヤレス通信デバイスは、（たとえば、信号品質を監視することに基づいて、信号品質がしきい値を満たさないと決定することに基づいてなど）第２のＳＣＣのダウンリンクチャネル上の無線リンク障害または不適当性（unsuitability）について第２のＳＣＣを監視し得る。追加または代替として、ワイヤレス通信デバイスは、ワイヤレス通信デバイスが第２のＳＣＣのダウンリンクチャネルから離調したかどうかを決定するために第２のＳＣＣを監視し得る。
【００９４】
[0106]図１１に示されているように、いくつかの態様では、プロセス１１００は、第１のＳＣＣまたは第２のＳＣＣのうちの少なくとも１つを監視することに少なくとも部分的に基づいて、第２の２次セルに関連するアクションを実施することを含み得る（ブロック１１３０）。たとえば、ワイヤレス通信デバイス（たとえば、ＵＥ１４５、２５０）は、第１のＳＣＣおよび／または第２のＳＣＣのうちの少なくとも１つを監視することに少なくとも部分的に基づいて、第２の２次セルに関連するアクションを実施し得る。このようにして、ワイヤレス通信デバイスは、第２の２次セルのための仮想無線リンク監視を実施し得る。
【００９５】
[0107]いくつかの態様では、アクションは、第２の２次セルを非アクティブ化することを含み得る。たとえば、ワイヤレス通信デバイスは、第１のＳＣＣに関連する信号品質がしきい値を満たさないことを検出することに少なくとも部分的に基づいて、第２の２次セルを非アクティブ化し得る。追加または代替として、ワイヤレス通信デバイスは、第１のＳＣＣに関連する無線リンク障害を検出することに少なくとも部分的に基づいて、第２の２次セルを非アクティブ化し得る。追加または代替として、ワイヤレス通信デバイスは、ワイヤレス通信デバイスが第１のＳＣＣから離調したことを検出することに少なくとも部分的に基づいて、第２の２次セルを非アクティブ化し得る。追加または代替として、ワイヤレス通信デバイスは、第１の２次セルが構成解除または非アクティブ化されたと決定することに少なくとも部分的に基づいて、第２の２次セルを非アクティブ化し得る。このようにして、ワイヤレス通信デバイスは、第２の２次セルのための制御情報が第１の２次セルを介して確実に受信され得ないとき、第２の２次セルを非アクティブ化することによって、バッテリー電力、コンピューティングリソース、および／またはネットワークリソースを温存し得る。
【００９６】
[0108]いくつかの態様では、第１のＳＣＣまたは第２のＳＣＣのうちの少なくとも１つを監視することは、第１のＳＣＣに関連する信号品質を監視することを含み得る。いくつかの態様では、ワイヤレス通信デバイスは、第１のＳＣＣに関連する信号品質を監視することに少なくとも部分的に基づいて、第１のＳＣＣに関連する信号品質がしきい値を満たさないことを検出し得る。いくつかの態様では、ワイヤレス通信デバイスは、第１のＳＣＣに関連する信号品質がしきい値を満たさないことを検出することに少なくとも部分的に基づいて、第２の２次セルを非アクティブ化することによって、第２の２次セルに関連するアクションを実施し得る。
【００９７】
[0109]いくつかの態様では、第２の２次セルに関連するアクションを実施することは、第２の２次セルを非アクティブ化することと、第２のＳＣＣに関連するチャネル状態情報を決定するために第２の２次セルを周期的にアクティブ化することと、チャネル状態情報を報告することとを含む。
【００９８】
[0110]いくつかの態様では、第２の２次セルに関連するアクションを実施することは、第１の時間期間中に第２の２次セルを非アクティブ化することと、第１の時間期間の後に起こる第２の時間期間中に第２の２次セルをアクティブ化することと、第２の時間期間中に第２の２次セルをアクティブ化することに少なくとも部分的に基づいて、第２のＳＣＣに関連するチャネル状態情報を決定することと、第２のＳＣＣに関連するチャネル状態情報を報告することとを含む。
【００９９】
[0111]いくつかの態様では、第２の２次セルに関連するアクションを実施することは、第２の時間期間の後に起こる第３の時間期間中に第２の２次セルを非アクティブ化することと、第２の時間期間の後に起こる第４の時間期間中に第２の２次セルをアクティブ化することなしに、第４の時間期間の間、チャネル状態情報を報告することとを含む。いくつかの態様では、第２の時間期間および第４の時間期間は連続する報告期間である。
【０１００】
[0112]いくつかの態様では、ワイヤレス通信デバイスは、第１のＳＣＣを監視することに少なくとも部分的に基づいて、ワイヤレス通信デバイスが第１のＳＣＣから離調したことを検出し得る。いくつかの態様では、第２の２次セルに関連するアクションを実施することは、ワイヤレス通信デバイスが第１のＳＣＣから離調したことを検出することに少なくとも部分的に基づいて、第２の２次セルを非アクティブ化することを含む。
【０１０１】
[0113]いくつかの態様では、ワイヤレス通信デバイスは、ワイヤレス通信デバイスが第１のＳＣＣから離調される離調時間期間が、しきい値を満たすと決定し得、離調時間期間がしきい値を満たすと決定することに少なくとも部分的に基づいて、第２の２次セルをアクティブ化し得、第２の２次セルをアクティブ化することに少なくとも部分的に基づいて、第２のＳＣＣに関連するチャネル状態情報を決定し得、チャネル状態情報を報告し得る。
【０１０２】
[0114]いくつかの態様では、ワイヤレス通信デバイスは、第１のＳＣＣを監視することに少なくとも部分的に基づいて、第１の２次セルが構成解除または非アクティブ化されたと決定し得、第１の２次セルが構成解除または非アクティブ化されたと決定することに少なくとも部分的に基づいて、第１の２次セルを非アクティブ化し得る。いくつかの態様では、第２の２次セルに関連するアクションを実施することは、第１の２次セルが構成解除または非アクティブ化されたと決定することに少なくとも部分的に基づいて、第２の２次セルを非アクティブ化することを含む。
【０１０３】
[0115]いくつかの態様では、第１のＳＣＣまたは第２のＳＣＣのうちの少なくとも１つを監視することは、第２のＳＣＣに関連する信号品質を監視することを含む。いくつかの態様では、ワイヤレス通信デバイスは、第２のＳＣＣに関連する信号品質を監視することに少なくとも部分的に基づいて、第２のＳＣＣに関連する信号品質がしきい値を満たさないことを検出し得る。いくつかの態様では、第２の２次セルに関連するアクションを実施することは、第２のＳＣＣに関連する信号品質がしきい値を満たさないことを検出することに少なくとも部分的に基づいて、第２の２次セル以外の他のセルに関連するダウンリンク基準時間を決定することと、ダウンリンク基準時間に少なくとも部分的に基づいて、第２の２次セルのアップリンクチャネルのためのタイミングアドバンスを決定することと、タイミングアドバンスに少なくとも部分的に基づいて、第２の２次セルのアップリンクチャネルを介して通信を送信することとを含む。いくつかの態様では、他のセルは、第２の２次セルと同じタイミングアドバンスグループ中にある。
【０１０４】
[0116]いくつかの態様では、第２のＳＣＣに関連する信号品質がしきい値を満たさないことを検出することは、第２の２次セルのダウンリンクチャネルに関連する無線リンク障害を検出することを含む。いくつかの態様では、ダウンリンク基準時間を決定することは、無線リンク障害を検出することに少なくとも部分的に基づいて、ダウンリンク基準時間を決定することを含む。
【０１０５】
[0117]いくつかの態様では、ワイヤレス通信デバイスは、第２のＳＣＣを監視することに少なくとも部分的に基づいて、ワイヤレス通信デバイスが第２のＳＣＣのダウンリンクチャネルから離調したことを検出し得る。いくつかの態様では、第２の２次セルに関連するアクションを実施することは、ワイヤレス通信デバイスがダウンリンクチャネルから離調したことを検出することに少なくとも部分的に基づいて、第２の２次セル以外の他のセルに関連するダウンリンク基準時間を決定することと、ダウンリンク基準時間に少なくとも部分的に基づいて、第２の２次セルのアップリンクチャネルのためのタイミングアドバンスを決定することと、タイミングアドバンスに少なくとも部分的に基づいて、第２の２次セルのアップリンクチャネルを介して通信を送信することとを含む。
【０１０６】
[0118]図１１はプロセス１１００の例示的なブロックを示すが、いくつかの態様では、プロセス１１００は、図１１に示されたものと比べて、追加のブロック、より少数のブロック、異なるブロック、または別様に構成された（arranged）ブロックを含み得る。追加または代替として、プロセス１１００のブロックのうちの２つまたはそれ以上が並列に実施され得る。
【０１０７】
[0119]図１２は、本開示の様々な態様による、たとえば、ワイヤレス通信デバイスによって実施される例示的なプロセス１２００を示す図である。例示的なプロセス１２００は、ワイヤレス通信デバイス（たとえば、ＵＥ１４５、２５０）がキャリアアグリゲーションおよびクロスキャリアスケジューリング中に仮想無線リンク監視を実施することに少なくとも部分的に基づいて、チャネル状態情報を報告する一例である。
【０１０８】
[0120]図１２に示されているように、いくつかの態様では、プロセス１２００は、ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することを含み得、ここにおいて、１次セルがＰＣＣに関連し、第１の２次セルが第１のＳＣＣに関連し、第２の２次セルが第２のＳＣＣに関連し、第１の２次セルが、第２の２次セルのための制御情報を与える（ブロック１２１０）。たとえば、ワイヤレス通信デバイス（たとえば、ＵＥ１４５、２５０）は、図１１のブロック１１１０に関して上記で説明されたように、ワイヤレス通信デバイスが、キャリアアグリゲーションおよびクロスキャリアスケジューリングのために、１次セルに関連するＰＣＣと、第１の２次セルに関連する第１のＳＣＣと、第２の２次セルに関連する第２のＳＣＣとを使用するように構成されると決定し得る。
【０１０９】
[0121]図１２に示されているように、いくつかの態様では、プロセス１２００は、第１のＳＣＣを監視することを含み得る（ブロック１２２０）。たとえば、ワイヤレス通信デバイス（たとえば、ＵＥ１４５、２５０）は第１のＳＣＣを監視し得る。いくつかの態様では、ワイヤレス通信デバイスは、信号品質がしきい値を満たさないかどうかを決定するために第１のＳＣＣに関連する信号品質を監視し得る。追加または代替として、ワイヤレス通信デバイスは、無線リンク障害について第１のＳＣＣを監視し得る。追加または代替として、ワイヤレス通信デバイスは、ワイヤレス通信デバイスが第１のＳＣＣから離調したかどうかを決定するために第１のＳＣＣを監視し得る。追加または代替として、ワイヤレス通信デバイスは、（たとえば、第１のＳＣＣに関連する）第１の２次セルが構成解除または非アクティブ化されたかどうかを決定するために第１のＳＣＣを監視し得る。
【０１１０】
[0122]図１２に示されているように、いくつかの態様では、プロセス１２００は、第１のＳＣＣを監視することに少なくとも部分的に基づいて、第２の２次セルを非アクティブ化することを含み得る（ブロック１２３０）。たとえば、ワイヤレス通信デバイス（たとえば、ＵＥ１４５、２５０）は、第１のＳＣＣを監視することに少なくとも部分的に基づいて、第２の２次セルを非アクティブ化し得る。いくつかの態様では、ワイヤレス通信デバイスは、第１のＳＣＣに関連する信号品質がしきい値を満たさないと決定することに少なくとも部分的に基づいて、第２の２次セルを非アクティブ化し得る。いくつかの態様では、ワイヤレス通信デバイスは、第１のＳＣＣに関連する無線リンク障害を検出することに少なくとも部分的に基づいて、第２の２次セルを非アクティブ化し得る。追加または代替として、ワイヤレス通信デバイスは、ワイヤレス通信デバイスが第１のＳＣＣから離調したことを検出することに少なくとも部分的に基づいて、第２の２次セルを非アクティブ化し得る。追加または代替として、ワイヤレス通信デバイスは、第１の２次セルが構成解除または非アクティブ化されたと決定することに少なくとも部分的に基づいて、第２の２次セルを非アクティブ化し得る。追加または代替として、ワイヤレス通信デバイスは、第１の２次セルが構成解除または非アクティブ化されたと決定することに少なくとも部分的に基づいて、第１の２次セルを非アクティブ化し得る。このようにして、ワイヤレス通信デバイスは、第２の２次セルのための制御情報が第１の２次セルを介して確実に受信され得ないとき、第２の２次セルを非アクティブ化することによって、バッテリー電力、コンピューティングリソース、および／またはネットワークリソースを温存し得る。
【０１１１】
[0123]図１２に示されているように、いくつかの態様では、プロセス１２００は、第２の２次セルをアクティブ化することを含み得る（ブロック１２４０）。たとえば、ワイヤレス通信デバイス（たとえば、ＵＥ１４５、２５０）は、第２の２次セルを非アクティブ化した後に、第２の２次セルをアクティブ化し得る。いくつかの態様では、ワイヤレス通信デバイスは、第１の時間期間中に第２の２次セルを非アクティブ化し得、第１の時間期間の後に起こる（occurs）第２の時間期間中に第２の２次セルをアクティブ化し得る。いくつかの態様では、ワイヤレス通信デバイスは、（たとえば、第２の２次セルに対応する）第２のＳＣＣに関連するチャネル状態情報を決定するために、第２の２次セルをアクティブ化および／または周期的にアクティブ化し得る。
【０１１２】
[0124]図１２に示されているように、いくつかの態様では、プロセス１２００は、第２の２次セルをアクティブ化することに少なくとも部分的に基づいて、第２のＳＣＣに関連するチャネル状態情報を決定することを含み得る（ブロック１２５０）。たとえば、ワイヤレス通信デバイス（たとえば、ＵＥ１４５、２５０）は、第２の２次セルをアクティブ化することに少なくとも部分的に基づいて、第２のＳＣＣに関連するチャネル状態情報を決定し得る。いくつかの態様では、ワイヤレス通信デバイスは、第１の時間期間中に第２の２次セルを非アクティブ化し得、第１の時間期間の後に起こる第２の時間期間中に第２の２次セルをアクティブ化し得、第２の時間期間中に第２の２次セルをアクティブ化することに少なくとも部分的に基づいて、第２のＳＣＣに関連するチャネル状態情報を決定し得る。
【０１１３】
[0125]図１２に示されているように、いくつかの態様では、プロセス１２００は、チャネル状態情報を報告することを含み得る（ブロック１２６０）。たとえば、ワイヤレス通信デバイス（たとえば、ＵＥ１４５、２５０）は、第２のＳＣＣに関連するチャネル状態情報を報告し得る。いくつかの態様では、ワイヤレス通信デバイスは、第１の時間期間中に第２の２次セルを非アクティブ化し得、第１の時間期間の後に起こる第２の時間期間中に第２の２次セルをアクティブ化し得、第２の時間期間中に第２の２次セルをアクティブ化することに少なくとも部分的に基づいて、第２のＳＣＣに関連するチャネル状態情報を決定し得、（たとえば、第２の２次セルに対応する）第２のＳＣＣに関連するチャネル状態情報を報告し得る。
【０１１４】
[0126]いくつかの態様では、ワイヤレス通信デバイスは、第２の時間期間の後に起こる第３の時間期間中に第２の２次セルを非アクティブ化し得る。追加または代替として、ワイヤレス通信デバイスは、第２の時間期間（および／または第３の時間期間）の後に起こる第４の時間期間中に第２の２次セルをアクティブ化することなしに、第４の時間期間の間、第２のＳＣＣに関連するチャネル状態情報を報告し得る。いくつかの態様では、第２の時間期間および第４の時間期間は連続する報告期間であり得る。
【０１１５】
[0127]いくつかの態様では、ワイヤレス通信デバイスは、ワイヤレス通信デバイスが第１のＳＣＣから離調される離調時間期間が、しきい値（たとえば、離調しきい値）を満たすと決定し得る。ワイヤレス通信デバイスは、離調時間期間がしきい値を満たすと決定することに少なくとも部分的に基づいて、第２の２次セルをアクティブ化し得、第２の２次セルをアクティブ化することに少なくとも部分的に基づいて、第２のＳＣＣに関連するチャネル状態情報を決定し得、チャネル状態情報を報告し得る。
【０１１６】
[0128]このようにして、ワイヤレス通信デバイスは、ｅＮＢによって受信されることが予想される情報を含み得る、第２のＳＣＣに関連するチャネル状態情報をｅＮＢに報告し得る。ｅＮＢは、ネットワーク、キャリアアグリゲーション構成、クロスキャリアスケジューリング構成などを再構成するためにこの情報を使用し得る。さらに、チャネル状態情報を決定および報告するために第２の２次セルを周期的にアクティブ化することによって、または第２の２次セルをアクティブ化することなしにあらかじめ決定された（previously-determined）チャネル状態情報を報告することによって、ワイヤレス通信デバイスは、チャネル状態情報を報告することができないためにｅＮＢによって不利にされることを回避し得る。
【０１１７】
[0129]図１２はプロセス１２００の例示的なブロックを示すが、いくつかの態様では、プロセス１２００は、図１２に示されたものと比べて、追加のブロック、より少数のブロック、異なるブロック、または別様に構成されたブロックを含み得る。追加または代替として、プロセス１２００のブロックのうちの２つまたはそれ以上が並列に実施され得る。
【０１１８】
[0130]図１３は、本開示の様々な態様による、たとえば、ワイヤレス通信デバイスによって実施される例示的なプロセス１３００を示す図である。例示的なプロセス１３００は、ワイヤレス通信デバイス（たとえば、ＵＥ１４５、２５０）が、タイミングアドバンスグループ中に含まれるあるセルからのダウンリンク基準時間を使用して、タイミングアドバンスグループ中に含まれる別のセルのアップリンク通信のためのタイミングアドバンスを決定する一例である。
【０１１９】
[0131]図１３に示されているように、いくつかの態様では、プロセス１３００は、ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することを含み得、ここにおいて、１次セルがＰＣＣに関連し、第１の２次セルが第１のＳＣＣに関連し、第２の２次セルが第２のＳＣＣに関連し、第１の２次セルが、第２の２次セルのための制御情報を与える（ブロック１３１０）。たとえば、ワイヤレス通信デバイス（たとえば、ＵＥ１４５、２５０）は、図１１のブロック１１１０に関して上記で説明されたように、ワイヤレス通信デバイスが、キャリアアグリゲーションおよびクロスキャリアスケジューリングのために、１次セルに関連するＰＣＣと、第１の２次セルに関連する第１のＳＣＣと、第２の２次セルに関連する第２のＳＣＣとを使用するように構成されると決定し得る。
【０１２０】
[0132]図１３に示されているように、いくつかの態様では、プロセス１３００は、第２のＳＣＣを監視することを含み得る（ブロック１３２０）。たとえば、ワイヤレス通信デバイス（たとえば、ＵＥ１４５、２５０）は第２のＳＣＣを監視し得る。いくつかの態様では、ワイヤレス通信デバイスは、第２のＳＣＣに関連する信号品質を監視し得、第２のＳＣＣに関連する信号品質がしきい値を満たさないことを検出し得る。たとえば、ワイヤレス通信デバイスは、第２のＳＣＣのダウンリンクチャネルに関連する信号品質を監視し得、ダウンリンクチャネルに関連する信号品質がしきい値を満たさないことを検出し得る。追加または代替として、ワイヤレス通信デバイスは、第２のＳＣＣのダウンリンクチャネル上の無線リンク障害について第２のＳＣＣを監視し得る。追加または代替として、ワイヤレス通信デバイスは、ワイヤレス通信デバイスが第２のＳＣＣのダウンリンクチャネルまたは第２のＳＣＣに関連するダウンリンクチャネルから離調したかどうかを決定するために第２のＳＣＣを監視し得る。
【０１２１】
[0133]図１３に示されているように、いくつかの態様では、プロセス１３００は、第２のＳＣＣを監視することに少なくとも部分的に基づいて、第２の２次セル以外の他のセルに関連するダウンリンク基準時間を決定することを含み得る（ブロック１３３０）。たとえば、ワイヤレス通信デバイス（たとえば、ＵＥ１４５、２５０）は、第２の２次セル以外の他のセル（たとえば、１次セル、第１の２次セル、他の２次セルなど）に関連するダウンリンク基準時間を決定し得る。いくつかの態様では、第２の２次セル以外の他のセルは、第２の２次セルと同じタイミングアドバンスグループ中のセルであり得る。
【０１２２】
[0134]図１３に示されているように、いくつかの態様では、プロセス１３００は、ダウンリンク基準時間に少なくとも部分的に基づいて、第２の２次セルのアップリンクチャネルのためのタイミングアドバンスを決定することを含み得る（ブロック１３４０）。たとえば、ワイヤレス通信デバイス（たとえば、ＵＥ１４５、２５０）は、第２の２次セルのアップリンクチャネルのためのタイミングアドバンスを決定するために、第２の２次セル以外の他のセルからのダウンリンク基準時間を使用し得る。
【０１２３】
[0135]図１３に示されているように、いくつかの態様では、プロセス１３００は、タイミングアドバンスに少なくとも部分的に基づいて、第２の２次セルのアップリンクチャネルを介して通信を送信することを含み得る（ブロック１３５０）。たとえば、ワイヤレス通信デバイス（たとえば、ＵＥ１４５、２５０）は、第２の２次セル以外の他のセルからのダウンリンク基準時間を使用して決定されるタイミングアドバンスに少なくとも部分的に基づいて、第２の２次セルのアップリンクチャネルを介して通信を送信し得る。このようにして、ワイヤレス通信デバイスは、第２の２次セルのダウンリンクチャネルがアップリンクチャネルのためのタイミングアドバンスを計算するためのダウンリンク基準時間を確実に与えることができないときでも、第２の２次セルのアップリンクチャネルを介して通信し続け得る。
【０１２４】
[0136]図１３はプロセス１３００の例示的なブロックを示すが、いくつかの態様では、プロセス１３００は、図１３に示されたものと比べて、追加のブロック、より少数のブロック、異なるブロック、または別様に構成されたブロックを含み得る。追加または代替として、プロセス１３００のブロックのうちの２つまたはそれ以上が並列に実施され得る。
【０１２５】
[0137]上記の開示は、例示および説明を与えるものであり、網羅的なものでも、態様を開示された正確な形態に限定するものでもない。修正および変形が、上記の開示に照らして可能であり、または態様の実施から取得され得る。
【０１２６】
[0138]本明細書で使用される構成要素という用語は、ハードウェア、ファームウェア、またはハードウェアとソフトウェアの組合せとして広く解釈されるものとする。本明細書で使用されるプロセッサは、ハードウェア、ファームウェア、またはハードウェアとソフトウェアの組合せで実装される。
【０１２７】
[0139]本明細書では、しきい値に関するいくつかの態様が説明される。本明細書で使用されるしきい値を満たすことは、値が、しきい値よりも大きいこと、しきい値よりも大きいかまたはそれに等しいこと、しきい値よりも小さいこと、しきい値よりも小さいかまたはそれに等しいこと、しきい値に等しいこと、しきい値に等しくないことなどを指すことがある。
【０１２８】
[0140]上記で説明された方法の様々な動作は、対応する機能を実施することが可能な任意の好適な手段によって実施され得る。それらの手段は、限定はしないが、回路、特定用途向け集積回路（ＡＳＩＣ）、あるいはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【０１２９】
[0141]いくつかの態様によれば、そのような手段は、（たとえば、ハードウェアでまたはソフトウェア命令を実行することによって）上記で説明された様々なアルゴリズムを実装することによって、対応する機能を実施するように構成された処理システムによって実装され得る。
【０１３０】
[0142]たとえば、決定するための手段、監視するための手段、実施するための手段、検出するための手段、アクティブ化／非アクティブ化するための手段、報告するための手段、および送信するための手段は、図６に示されているＵＥ２５０の送信機／受信機（たとえば、トランシーバＴＸ／ＲＸ６４０）、（１つまたは複数の）アンテナ６４５、および／または１つまたは複数のプロセッサ（たとえば、ＲＸプロセッサ６５０、コントローラ／プロセッサ６６０、および／またはＴＸプロセッサ６８０）を備え得る。
【０１３１】
[0143]本明細書で説明されるシステムおよび／または方法は、ハードウェア、ファームウェア、またはハードウェアとソフトウェアの組合せの異なる形式で実装され得ることが明らかであろう。これらのシステムおよび／または方法を実装するために使用される実際の特殊な制御ハードウェアまたはソフトウェアコードは、態様を制限するものではない。したがって、システムおよび／または方法の動作および挙動は、特定のソフトウェアコードと無関係に本明細書で説明され、ソフトウェアおよびハードウェアは、本明細書の説明に少なくとも部分的に基づいて、システムおよび／または方法を実装するように設計され得ることが理解される。
【０１３２】
[0144]特徴の特定の組合せが特許請求の範囲において具陳されおよび／または本明細書で開示されたが、これらの組合せは、可能な態様の開示を限定するものではない。実際は、これらの特徴の多くは、詳細には、特許請求の範囲において具陳されずおよび／または本明細書で開示されない方法で、組み合わせられ得る。以下に記載される各従属請求項は、１つの請求項のみに直接従属することがあるが、可能な態様の開示は、特許請求の範囲中のあらゆる他の請求項と組み合わせた各従属請求項を含む。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１３３】
[0145]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つの」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
以下に本願の出願当初の特許請求の範囲に記載された発明を付記する。
[Ｃ１]  ワイヤレス通信デバイスによって、前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記ワイヤレス通信デバイスによって、
前記第１のＳＣＣまたは前記第２のＳＣＣに関連する信号品質、あるいは
前記第１のＳＣＣまたは前記第２のＳＣＣに関連する離調
のうちの少なくとも１つについて、前記第１のＳＣＣまたは前記第２のＳＣＣのうちの少なくとも１つを監視することと、
前記ワイヤレス通信デバイスによって、前記第１のＳＣＣまたは前記第２のＳＣＣのうちの前記少なくとも１つを監視することに少なくとも部分的に基づいて、前記第２の２次セルに関連するアクションを実施することと
を備える、ワイヤレス通信のための方法。
[Ｃ２]  前記第１のＳＣＣまたは前記第２のＳＣＣのうちの前記少なくとも１つを監視することが、前記第１のＳＣＣに関連する信号品質を監視することを含み、
ここにおいて、前記方法は、
前記第１のＳＣＣに関連する前記信号品質を監視することに少なくとも部分的に基づいて、前記第１のＳＣＣに関連する前記信号品質がしきい値を満たさないことを検出すること
をさらに備え、
ここにおいて、前記第２の２次セルに関連する前記アクションを実施することは、
前記第１のＳＣＣに関連する前記信号品質が前記しきい値を満たさないことを検出することに少なくとも部分的に基づいて、前記第２の２次セルを非アクティブ化することを備える、
Ｃ１に記載の方法。
[Ｃ３]  前記第２の２次セルに関連する前記アクションを実施することが、
前記第２の２次セルを非アクティブ化することと、
前記第２のＳＣＣに関連するチャネル状態情報を決定するために、前記第２の２次セルを周期的にアクティブ化することと、
前記チャネル状態情報を報告することと
を備える、Ｃ１に記載の方法。
[Ｃ４]  前記第２の２次セルに関連する前記アクションを実施することが、
第１の時間期間中に前記第２の２次セルを非アクティブ化することと、
前記第１の時間期間の後に起こる第２の時間期間中に前記第２の２次セルをアクティブ化することと、
前記第２の時間期間中に前記第２の２次セルをアクティブ化することに少なくとも部分的に基づいて、前記第２のＳＣＣに関連するチャネル状態情報を決定することと、
前記第２のＳＣＣに関連する前記チャネル状態情報を報告することと
を備える、Ｃ１に記載の方法。
[Ｃ５]  前記第２の２次セルに関連する前記アクションを実施することが、
前記第２の時間期間の後に起こる第３の時間期間中に前記第２の２次セルを非アクティブ化することと、
前記第２の時間期間の後に起こる第４の時間期間中に前記第２の２次セルをアクティブ化することなしに、前記第４の時間期間の間、前記チャネル状態情報を報告することとをさらに備え、
ここにおいて、前記第２の時間期間および前記第４の時間期間が連続する報告期間である、
Ｃ４に記載の方法。
[Ｃ６]  前記第１のＳＣＣを監視することに少なくとも部分的に基づいて、前記ワイヤレス通信デバイスが前記第１のＳＣＣから離調したことを検出すること
をさらに備え、
ここにおいて、前記第２の２次セルに関連する前記アクションを実施することは、
前記ワイヤレス通信デバイスが前記第１のＳＣＣから離調したことを検出することに少なくとも部分的に基づいて、前記第２の２次セルを非アクティブ化すること
を備える、
Ｃ１に記載の方法。
[Ｃ７]  前記ワイヤレス通信デバイスが前記第１のＳＣＣから離調される離調時間期間が、しきい値を満たすと決定することと、
前記離調時間期間が前記しきい値を満たすと決定することに少なくとも部分的に基づいて、前記第２の２次セルをアクティブ化することと、
前記第２の２次セルをアクティブ化することに少なくとも部分的に基づいて、前記第２のＳＣＣに関連するチャネル状態情報を決定することと、
前記チャネル状態情報を報告することと
をさらに備える、Ｃ６に記載の方法。
[Ｃ８]  前記第１のＳＣＣを監視することに少なくとも部分的に基づいて、前記第１の２次セルが構成解除または非アクティブ化されたと決定することと、
前記第１の２次セルが構成解除または非アクティブ化されたと決定することに少なくとも部分的に基づいて、前記第１の２次セルを非アクティブ化することと
をさらに備え、
ここにおいて、前記第２の２次セルに関連する前記アクションを実施することは、
前記第１の２次セルが構成解除または非アクティブ化されたと決定することに少なくとも部分的に基づいて、前記第２の２次セルを非アクティブ化すること
を備える、
Ｃ１に記載の方法。
[Ｃ９]  前記第１のＳＣＣまたは前記第２のＳＣＣのうちの前記少なくとも１つを監視することが、前記第２のＳＣＣに関連する信号品質を監視することを含み、
ここにおいて、前記方法は、
前記第２のＳＣＣに関連する前記信号品質を監視することに少なくとも部分的に基づいて、前記第２のＳＣＣに関連する前記信号品質がしきい値を満たさないことを検出すること
をさらに備え、
ここにおいて、前記第２の２次セルに関連する前記アクションを実施することは、
前記第２のＳＣＣに関連する前記信号品質が前記しきい値を満たさないことを検出することに少なくとも部分的に基づいて、前記第２の２次セル以外の他のセルに関連するダウンリンク基準時間を決定することと、
前記ダウンリンク基準時間に少なくとも部分的に基づいて、前記第２の２次セルのアップリンクチャネルのためのタイミングアドバンスを決定することと、
前記タイミングアドバンスに少なくとも部分的に基づいて、前記第２の２次セルの前記アップリンクチャネルを介して通信を送信することと
を備える、
Ｃ１に記載の方法。
[Ｃ１０]  前記第２のＳＣＣに関連する前記信号品質が前記しきい値を満たさないことを検出することが、前記第２の２次セルのダウンリンクチャネルに関連する無線リンク障害を検出することを含み、
ここにおいて、前記ダウンリンク基準時間を決定することが、前記無線リンク障害を検出することに少なくとも部分的に基づいて、前記ダウンリンク基準時間を決定することを含む、
Ｃ９に記載の方法。
[Ｃ１１]  前記他のセルが、前記第２の２次セルと同じタイミングアドバンスグループ中にある、Ｃ９に記載の方法。
[Ｃ１２]  前記第２のＳＣＣを監視することに少なくとも部分的に基づいて、前記ワイヤレス通信デバイスが、前記第２のＳＣＣに関連するダウンリンクチャネルから離調したことを検出すること
をさらに備え、
ここにおいて、前記第２の２次セルに関連する前記アクションを実施することは、
前記ワイヤレス通信デバイスが前記ダウンリンクチャネルから離調したことを検出することに少なくとも部分的に基づいて、前記第２の２次セル以外の他のセルに関連するダウンリンク基準時間を決定することと、
前記ダウンリンク基準時間に少なくとも部分的に基づいて、前記第２の２次セルのアップリンクチャネルのためのタイミングアドバンスを決定することと、
前記タイミングアドバンスに少なくとも部分的に基づいて、前記第２の２次セルの前記アップリンクチャネルを介して通信を送信することと
を備える、
Ｃ１に記載の方法。
[Ｃ１３]  ワイヤレス通信のためのワイヤレス通信デバイスであって、
１つまたは複数のプロセッサ
を備え、前記１つまたは複数のプロセッサは、
前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記第１のＳＣＣまたは前記第２のＳＣＣに関連する信号品質、あるいは
前記第１のＳＣＣまたは前記第２のＳＣＣに関連する離調
のうちの少なくとも１つについて、前記第１のＳＣＣまたは前記第２のＳＣＣのうちの少なくとも１つを監視することと、
前記第１のＳＣＣまたは前記第２のＳＣＣのうちの前記少なくとも１つを監視することに少なくとも部分的に基づいて、前記第２の２次セルに関連するアクションを実施することと
を行うように構成された、
ワイヤレス通信デバイス。
[Ｃ１４]  前記第１のＳＣＣまたは前記第２のＳＣＣのうちの前記少なくとも１つを監視するように構成された前記１つまたは複数のプロセッサが、前記第１のＳＣＣに関連する信号品質を監視するようにさらに構成され、
ここにおいて、前記１つまたは複数のプロセッサは、前記第１のＳＣＣに関連する前記信号品質を監視することに少なくとも部分的に基づいて、前記第１のＳＣＣに関連する前記信号品質がしきい値を満たさないことを検出するようにさらに構成され、
ここにおいて、前記第２の２次セルに関連する前記アクションを実施するように構成された前記１つまたは複数のプロセッサは、前記第１のＳＣＣに関連する前記信号品質が前記しきい値を満たさないことを検出することに少なくとも部分的に基づいて、前記第２の２次セルを非アクティブ化するようにさらに構成された、
Ｃ１３に記載のワイヤレス通信デバイス。
[Ｃ１５]  前記１つまたは複数のプロセッサは、前記第１のＳＣＣを監視することに少なくとも部分的に基づいて、前記ワイヤレス通信デバイスが前記第１のＳＣＣから離調したことを検出するようにさらに構成され、
ここにおいて、前記第２の２次セルに関連する前記アクションを実施するように構成された前記１つまたは複数のプロセッサは、前記ワイヤレス通信デバイスが前記第１のＳＣＣから離調したことを検出することに少なくとも部分的に基づいて、前記第２の２次セルを非アクティブ化するようにさらに構成された、
Ｃ１３に記載のワイヤレス通信デバイス。
[Ｃ１６]  前記１つまたは複数のプロセッサは、前記第１のＳＣＣを監視することに少なくとも部分的に基づいて、前記第１の２次セルが構成解除または非アクティブ化されたと決定するようにさらに構成され、
ここにおいて、前記第２の２次セルに関連する前記アクションを実施するように構成された前記１つまたは複数のプロセッサは、前記第１の２次セルが構成解除または非アクティブ化されたと決定することに少なくとも部分的に基づいて、前記第２の２次セルを非アクティブ化するようにさらに構成された、
Ｃ１３に記載のワイヤレス通信デバイス。
[Ｃ１７]  前記第２の２次セルに関連する前記アクションを実施するように構成された前記１つまたは複数のプロセッサが、
前記第２の２次セルを非アクティブ化することと、
前記第２の２次セルを非アクティブ化した後に、前記第２の２次セルをアクティブ化することと、
前記第２の２次セルをアクティブ化することに少なくとも部分的に基づいて、前記第２のＳＣＣに関連するチャネル状態情報を決定することと、
前記チャネル状態情報を報告することと
を行うようにさらに構成された、Ｃ１３に記載のワイヤレス通信デバイス。
[Ｃ１８]  前記１つまたは複数のプロセッサが、
前記第２の２次セル以外の他のセルに関連するダウンリンク基準時間を決定することと、
前記ダウンリンク基準時間に少なくとも部分的に基づいて、前記第２の２次セルのアップリンクチャネルのためのタイミングアドバンスを決定することと、
前記タイミングアドバンスに少なくとも部分的に基づいて、前記第２の２次セルの前記アップリンクチャネルを介して通信を送信することと
を行うようにさらに構成された、Ｃ１３に記載のワイヤレス通信デバイス。
[Ｃ１９]  ワイヤレス通信のための命令を記憶する非一時的コンピュータ可読媒体であって、前記命令は、
ワイヤレス通信デバイスの１つまたは複数のプロセッサによって実行されたとき、前記１つまたは複数のプロセッサに、
前記ワイヤレス通信デバイスが、キャリアアグリゲーションのために、１次コンポーネントキャリア（ＰＣＣ）と、第１の２次コンポーネントキャリア（ＳＣＣ）と、第２のＳＣＣとを使用するように構成されると決定することと、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記第１のＳＣＣまたは前記第２のＳＣＣに関連する信号品質、あるいは
前記第１のＳＣＣまたは前記第２のＳＣＣに関連する離調
のうちの少なくとも１つについて、前記第１のＳＣＣまたは前記第２のＳＣＣのうちの少なくとも１つを監視することと、
前記第１のＳＣＣまたは前記第２のＳＣＣのうちの前記少なくとも１つを監視することに少なくとも部分的に基づいて、前記第２の２次セルに関連するアクションを実施することと
を行わせる、１つまたは複数の命令
を備える、非一時的コンピュータ可読媒体。
[Ｃ２０]  前記１つまたは複数のプロセッサに、前記第１のＳＣＣまたは前記第２のＳＣＣのうちの前記少なくとも１つを監視することを行わせる前記１つまたは複数の命令が、前記１つまたは複数のプロセッサに、
前記第１のＳＣＣに関連する信号品質を監視することと、
前記第１のＳＣＣに関連する前記信号品質を監視することに少なくとも部分的に基づいて、前記第１のＳＣＣに関連する前記信号品質がしきい値を満たさないことを検出することと
をさらに行わせ、
ここにおいて、前記１つまたは複数のプロセッサに前記アクションを実施させる前記１つまたは複数の命令は、前記１つまたは複数のプロセッサに、前記第１のＳＣＣに関連する前記信号品質が前記しきい値を満たさないことを検出することに少なくとも部分的に基づいて、前記第２の２次セルを非アクティブ化することをさらに行わせる、
Ｃ１９に記載の非一時的コンピュータ可読媒体。
[Ｃ２１]  前記１つまたは複数の命令は、前記１つまたは複数のプロセッサに、前記第１のＳＣＣを監視することに少なくとも部分的に基づいて、前記ワイヤレス通信デバイスが前記第１のＳＣＣから離調したことを検出することをさらに行わせ、
ここにおいて、前記１つまたは複数のプロセッサに前記アクションを実施させる前記１つまたは複数の命令は、前記１つまたは複数のプロセッサに、前記ワイヤレス通信デバイスが前記第１のＳＣＣから離調したことを検出することに少なくとも部分的に基づいて、前記第２の２次セルを非アクティブ化することをさらに行わせる、
Ｃ１９に記載の非一時的コンピュータ可読媒体。
[Ｃ２２]  前記１つまたは複数の命令は、前記１つまたは複数のプロセッサに、前記第１のＳＣＣを監視することに少なくとも部分的に基づいて、前記第１の２次セルが構成解除されたと決定することをさらに行わせ、
ここにおいて、前記１つまたは複数のプロセッサに前記アクションを実施させる前記１つまたは複数の命令は、前記１つまたは複数のプロセッサに、前記第１の２次セルが構成解除されたと決定することに少なくとも部分的に基づいて、前記第２の２次セルを非アクティブ化することをさらに行わせる、
Ｃ１９に記載の非一時的コンピュータ可読媒体。
[Ｃ２３]  前記１つまたは複数のプロセッサに、前記第２の２次セルに関連する前記アクションを実施することを行わせる前記１つまたは複数の命令が、前記１つまたは複数のプロセッサに、
前記第２の２次セルを非アクティブ化することと、
前記第２の２次セルを非アクティブ化した後に、前記第２の２次セルをアクティブ化することと、
前記第２の２次セルをアクティブ化することに少なくとも部分的に基づいて、前記第２のＳＣＣに関連するチャネル状態情報を決定することと、
前記チャネル状態情報を報告することと
をさらに行わせる、Ｃ１９に記載の非一時的コンピュータ可読媒体。
[Ｃ２４]  前記１つまたは複数の命令が、前記１つまたは複数のプロセッサに、
前記１次セルまたは前記第１の２次セルのうちの少なくとも１つに関連するダウンリンク基準時間を決定することと、
前記ダウンリンク基準時間に少なくとも部分的に基づいて、前記第２の２次セルのアップリンクチャネルのためのタイミングアドバンスを決定することと、
前記タイミングアドバンスに少なくとも部分的に基づいて、前記第２の２次セルの前記アップリンクチャネルを介して通信を送信することと
をさらに行わせる、Ｃ１９に記載の非一時的コンピュータ可読媒体。
[Ｃ２５]  ワイヤレス通信のための装置であって、
前記装置が、キャリアアグリゲーションのために、１次コンポーネントキャリア（ＰＣＣ）と、第１の２次コンポーネントキャリア（ＳＣＣ）と、第２のＳＣＣとを使用するように構成されると決定するための手段と、ここにおいて、１次セルが前記ＰＣＣに関連し、第１の２次セルが前記第１のＳＣＣに関連し、第２の２次セルが前記第２のＳＣＣに関連し、前記第１の２次セルが、前記第２の２次セルのためのスケジューリング情報を与える、
前記第１のＳＣＣまたは前記第２のＳＣＣに関連する信号品質、あるいは
前記第１のＳＣＣまたは前記第２のＳＣＣに関連する離調
のうちの少なくとも１つについて、前記第１のＳＣＣまたは前記第２のＳＣＣのうちの少なくとも１つを監視するための手段と、
前記第１のＳＣＣまたは前記第２のＳＣＣのうちの前記少なくとも１つを監視することに少なくとも部分的に基づいて、前記第２の２次セルに関連するアクションを実施するための手段と
を備える、装置。
[Ｃ２６]  前記第１のＳＣＣまたは前記第２のＳＣＣのうちの前記少なくとも１つを監視するための前記手段が、前記第１のＳＣＣに関連する信号品質を監視するための手段を備え、
ここにおいて、前記装置は、
前記第１のＳＣＣに関連する前記信号品質がしきい値を満たさないことを検出するための手段
をさらに備え、
ここにおいて、前記アクションを実施するための前記手段は、
前記第１のＳＣＣに関連する前記信号品質が前記しきい値を満たさないことを検出することに少なくとも部分的に基づいて、前記第２の２次セルを非アクティブ化するための手段
をさらに備える、
Ｃ２５に記載の装置。
[Ｃ２７]  前記第１のＳＣＣを監視することに少なくとも部分的に基づいて、前記装置が前記第１のＳＣＣから離調したことを検出するための手段
をさらに備え、
ここにおいて、前記アクションを実施するための前記手段は、前記装置が前記第１のＳＣＣから離調したことを検出することに少なくとも部分的に基づいて、前記第２の２次セルを非アクティブ化するための手段を備える、
Ｃ２５に記載の装置。
[Ｃ２８]  前記第１のＳＣＣを監視することに少なくとも部分的に基づいて、前記第１の２次セルが構成解除されたと決定するための手段
をさらに備え、
ここにおいて、前記アクションを実施するための前記手段は、前記第１の２次セルが構成解除されたと決定することに少なくとも部分的に基づいて、前記第２の２次セルを非アクティブ化するための手段を備える、
Ｃ２５に記載の装置。
[Ｃ２９]  前記アクションを実施するための前記手段が、
前記第２の２次セルを非アクティブ化するための手段と、
前記第２の２次セルを非アクティブ化した後に、前記第２の２次セルをアクティブ化するための手段と、
前記第２の２次セルをアクティブ化することに少なくとも部分的に基づいて、前記第２のＳＣＣに関連するチャネル状態情報を決定するための手段と、
前記チャネル状態情報を報告するための手段と
を備える、Ｃ２５に記載の装置。
【図１】
0006615981.tif 000002
【図２】
0006615981.tif 000003
【図３】
0006615981.tif 000004
【図４】
0006615981.tif 000005
【図５】
0006615981.tif 000006
【図６】
0006615981.tif 000007
【図７Ａ】
0006615981.tif 000008
【図７Ｂ】
0006615981.tif 000009
【図８Ａ】
0006615981.tif 000010
【図８Ｂ】
0006615981.tif 000011
【図８Ｃ】
0006615981.tif 000012
【図９】
0006615981.tif 000013
【図１０】
0006615981.tif 000014
【図１１】
0006615981.tif 000015
【図１２】
0006615981.tif 000016
【図１３】
0006615981.tif 000017